(57)【要約】      （修正有）【課題】平蝶番の取付片（羽根）を取付位置にワンタッチで簡易に取り付けられるワンタッチ取付平蝶番を提供する。【解決手段】平蝶番Ｈは、一側の蝶番Ｈ１及び他側の蝶番Ｈ１の各取付片ｈ１の取り付け側の面に、一対の軸受部２、一対のフック３、ばね部材からなる取付フックＦを備え、扉、取付開口枠において一側の蝶番Ｈ１、他側の蝶番Ｈ２の各取付片ｈ１の各取付位置に、取付フックＦの一対の軸受部２を嵌挿可能に取付孔Ｆ０を設け、各蝶番Ｈ１、Ｈ２の各取付片ｈ１を、取付フックＦの一対の軸受部２を各フック３とともに取付孔Ｆ０にワンプッシュで通し、各フック３を取付孔Ｆ０の縁部に弾性係止することにより、扉、取付開口枠に取り付ける。【選択図】図１０
0003227549.tif 000002
【実用新案登録請求の範囲】
【請求項１】
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出される一対の軸受部と、
各々、前記一対の軸受部間両側に嵌合可能に略コマ状に形成され、前記一対の軸受部間両側に一端縁部を前記一対の軸受部の突出端側に向けて他端縁部を前記取付片側に向けて嵌合配置された状態での前記一対の軸受部の両側各側縁部間から外側に表れる外面部から前記他端縁部にかけてに係止爪を有し、前記一対の軸受部間両側に対称的に嵌合配置され、前記一対の軸受部の突出端側に一対の軸を介して回動可能に支持されて、前記各係止爪を前記一対の軸受部の両側各側縁部間から出没可能に配置される一対のフックと、
前記各フック間に又は前記各フックと前記各一対の軸受部との間に介装され、前記各フックを常態として前記一対の軸受部の両側各側縁部間から外側に突出可能に回動付勢するばね部材と、
を有し、
前記開閉部材、前記取付部材において前記一側の蝶番、前記他側の蝶番の前記各取付片の各取付位置に、前記取付フックの前記一対の軸受部を嵌挿可能に取付孔を設け、
前記一側の蝶番、前記他側の蝶番の前記各取付片を、前記取付フックの前記一対の軸受部を前記各フックとともに前記取付孔にワンプッシュで通し、前記各フックを前記取付孔の縁部又は縁部周囲に弾性係止することにより、前記開閉部材、前記取付部材に取り付ける、
ことを特徴とするワンタッチ取付平蝶番。
【請求項２】
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出され、その突出端の中央部に溝を有する一対の軸受プレート、及び前記一対の軸受プレート間の中央に前記取付片の取り付け側の面から前記各軸受プレートの前記溝又はその近傍まで突出され、その突出端面から前記取付片まで貫通するシャフト挿通部を有する台座からなり、前記各軸受プレートの両側でかつ突出端側にそれぞれ、軸挿通部を有する軸受・台座ブロックと、
各々、前記軸受・台座ブロックの前記各一対の軸受プレート間で前記台座の両側に嵌合可能に略コマ状に形成され、前記一対の軸受プレート間の前記台座の両側に一端縁部を前記一対の軸受プレートの突出端側に向けて他端縁部を前記取付片側に向けて嵌合配置された状態での前記一対の軸受プレートの両側各側縁部間から外側に表れる外面部から前記他端縁部にかけてに係止爪を有し、前記一対の軸受部間の前記台座の両側に対称的に嵌合配置され、前記一対の軸受プレートの両側でかつ突出端側の各軸挿通部間に挿着される一対の軸を介して回動可能に支持されて、前記各係止爪を前記一対の軸受プレートの両側各側縁部間から出没可能に配置される一対のフックと、
前記一対のフックと前記台座との間に介装され、前記各フックを常態として前記一対の軸受プレートの両側各側縁部間から突出可能に回動付勢するばね部材と、
前記軸受・台座ブロックの前記台座のシャフト挿通部に挿通され、一端に前記台座の突出端面から突出される解除レバー取付部を有し、他端に前記取付片に開口される前記シャフト挿通部の周囲に回転可能に配置される工具係合部を有するシャフト、及び前記シャフトの前記解除レバー取付部に前記シャフトと一体回転可能に固定されて、前記台座の突出端面で前記一対の軸受プレートの各溝間に前記一対のフックの一端間に係合可能に配置され、前記工具係合部の回転操作により、前記台座の突出端面で旋回されて前記各フックの一端間を押し広げ、前記各フックを前記一対の軸受プレートの両側各側縁部間に没入させる解除レバーと、
を有し、
前記開閉部材、前記取付部材において前記一側の蝶番、前記他側の蝶番の前記各取付片の各取付位置に、前記取付フックの前記一対の軸受プレートを嵌挿可能に取付孔を設け、
前記一側の蝶番、前記他側の蝶番の前記各取付片を、前記取付フックの前記一対の軸受プレートを前記各フックとともに前記取付孔にワンプッシュで通し、前記各フックを前記取付孔の縁部又は縁部周囲に係止することにより、前記開閉部材、前記取付部材に取り付け、
前記工具係合部の回転操作により前記各フックの係止爪と前記取付孔の縁部又は縁部周囲との係合を解除する、
ことを特徴とするワンタッチ取付平蝶番。
【請求項３】
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出され、その突出端の中間部に溝を有する一対の軸受プレート、及び前記一対の軸受プレート間の中央に前記取付片の取り付け側の面から前記各軸受プレートの前記溝又はその近傍まで突出され、その突出端面から前記取付片まで貫通するシャフト挿通部を有する台座からなり、前記各軸受プレートの両側でかつ突出端側にそれぞれ、軸挿通部を有する軸受・台座ブロックと、
各々、前記軸受・台座ブロックの前記一対の軸受プレート間に嵌合可能に略コマ状に形成され、前記一対の軸受プレート間に一端縁部を前記一対の軸受プレートの突出端側に向けて他端縁部を前記取付片側に向けて嵌合配置された状態で前記一対の軸受プレートの両側各側縁部間から外側に表れる外面部から前記他端縁部にかけてに係止爪を有し、前記一対の軸受プレート間に対称的に嵌合配置され、前記一対の軸受プレートの突出端側に一対の軸を介して回動可能に支持されて、前記各係止爪を前記一対の軸受プレートの両側各側縁部間から出没可能に配置される一対のフックと、
前記一対のフックと前記台座との間に介装され、前記各フックを常態として前記一対の軸受プレートの両側各側縁部間から突出可能に回動付勢するばね部材と、
前記軸受・台座ブロックの前記台座のシャフト挿通部に挿通され、一端に前記台座の突出端面から突出される解除レバー取付部を有し、他端に前記取付片に開口される前記シャフト挿通部の周囲に回転可能に配置される解除レバー回転操作部及び前記解除レバー回転操作部に係止溝と係止爪の弾性係合によるロック形式で着脱可能に連結される解除ハンドルを有するシャフト、及び前記シャフトの前記解除レバー取付部に前記シャフトと一体回転可能に固定されて、前記台座の突出端面で前記一対の軸受プレートの各溝間に前記一対のフックの一端間に係合可能に配置され、前記解除レバー回転操作部の回転操作により、前記台座の突出端面で旋回されて前記各フックの一端間を押し広げ、前記各フックの係止爪を前記一対の軸受プレートの両側各側縁部間に没入させる解除レバーと、
を有し、
前記開閉部材、前記取付部材において前記一側の蝶番、前記他側の蝶番の前記各取付片の各取付位置に、前記取付フックの前記一対の軸受プレートを嵌挿可能に取付孔を設け、
前記一側の蝶番、前記他側の蝶番の前記各取付片を、前記取付フックの前記一対の軸受プレートを前記各フックとともに前記取付孔にワンプッシュで通し、前記各フックを前記取付孔の縁部又は縁部周囲に係止することにより、前記開閉部材、前記取付部材に取り付け、
前記解除レバー回転操作部に前記解除ハンドルを前記係止溝と前記係止爪の弾性係合により連結ロックして、前記解除レバー回転操作部を前記解除ハンドルにより回転操作することにより前記各フックの係止爪と前記取付孔の縁部又は縁部周囲との係合を解除する、
ことを特徴とするワンタッチ取付平蝶番。
【請求項４】
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して突出されるシャフトと、
前記シャフトの外周面任意の位置から前記シャフトの内部に前記シャフトの軸方向と平行にスリットを形成されて、前記スリットの両側に設けられる一対の軸受部と、
前記シャフトの前記スリット内に嵌合可能に略コマ状に形成され、前記スリット内に一端部を前記各シャフトの先端部側に向けて他端部を前記取付片側に向けて嵌合配置された状態での前記スリットより外側に表れる外面部から前記他端部にかけてに係止爪を有し、前記スリット内に前記一対の軸受部の先端部側で一対の軸を介して回動可能に支持されて、前記係止爪を前記スリットから出没可能に配置されるフックと、
前記一対の軸受部と前記フックとの間に介装され、前記フックを常態として前記スリットから外側に突出可能に回動付勢するばね部材と、
を備え、
前記開閉部材、前記取付部材において前記一側の蝶番、前記他側の蝶番の前記各取付片の各取付位置に、前記取付フックの前記シャフトを嵌挿可能に取付孔を設け、
前記一側の蝶番、前記他側の蝶番の前記各取付片を、前記シャフトを前記フックとともに前記取付孔にワンプッシュで通し、前記フックを前記取付孔の縁部又は縁部周囲に係止することにより、前記開閉部材、前記取付部材に取り付ける、
ことを特徴とするワンタッチ取付平蝶番。
【考案の詳細な説明】
【技術分野】
【０００１】
本考案は、平蝶番に関し、特に、扉などをその取付位置にワンタッチで簡易に装着できるワンタッチ取付平蝶番に関する。
【背景技術】
【０００２】
従来の平蝶番が特許文献１などに記載されている。平蝶番は、特許文献１に記載されているように、羽根と呼ばれる平板状の取付片と筒状軸受部を有する一側の蝶番と、平板状の取付片と筒状軸受部を有する他側の蝶番と、一側の蝶番の筒状軸受部と他側の蝶番の筒状軸受部とに嵌挿される軸とを備える。この平蝶番を用いて、扉を取付開口枠に取り付けるには、一側の蝶番の取付片を扉の一側部に複数の取付ねじで取り付け、他側の蝶番の取付片を取付開口枠の一方の側部に複数の取付ねじで取り付け、各蝶番の筒状軸受部を上下に同芯的に配置して、軸を上下部の各筒状軸受部に通し、一側の蝶番と他側の蝶番とを枢着連結する。なお、このような平蝶番の場合、上部側、下部側の各筒状軸受部の上部開口、下部開口に、ぎぼしと呼ばれる頭部と短い軸部とからなる筒状軸受部キャップが嵌め込まれる。
【先行技術文献】
【特許文献】
【０００３】
【特許文献１】特開２０１８−１４９０５９号公報
【考案の概要】
【考案が解決しようとする課題】
【０００４】
しかしながら、この種の平蝶番は、一側、他側の各蝶番の取付片をその取付位置に８本乃至１０本と、複数の取付ねじにより取り付けるため、作業者は平蝶番の取り付けに多大な時間を要する、という問題がある。
【０００５】
本考案は、このような従来の問題を解決するもので、この種の平蝶番において、取付片をその取付位置にワンタッチで簡易に取り付けることができ、取付時間の短縮を図ること、を目的とする。
【課題を解決するための手段】
【０００６】
上記目的を達成するために、本考案（１）のワンタッチ取付平蝶番は、
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出される一対の軸受部と、
各々、前記一対の軸受部間両側に嵌合可能に略コマ状に形成され、前記一対の軸受部間両側に一端縁部を前記一対の軸受部の突出端側に向けて他端縁部を前記取付片側に向けて嵌合配置された状態での前記一対の軸受部の両側各側縁部間から外側に表れる外面部から前記他端縁部にかけてに係止爪を有し、前記一対の軸受部間両側に対称的に嵌合配置され、前記一対の軸受部の突出端側に一対の軸を介して回動可能に支持されて、前記各係止爪を前記一対の軸受部の両側各側縁部間から出没可能に配置される一対のフックと、
前記各フック間に又は前記各フックと前記各一対の軸受部との間に介装され、前記各フックを常態として前記一対の軸受部の両側各側縁部間から外側に突出可能に回動付勢するばね部材と、
を有し、
前記開閉部材、前記取付部材において前記一側の蝶番、前記他側の蝶番の前記各取付片の各取付位置に、前記取付フックの前記一対の軸受部を嵌挿可能に取付孔を設け、
前記一側の蝶番、前記他側の蝶番の前記各取付片を、前記取付フックの前記一対の軸受部を前記各フックとともに前記取付孔にワンプッシュで通し、前記各フックを前記取付孔の縁部又は縁部周囲に弾性係止することにより、前記開閉部材、前記取付部材に取り付ける、
ことを要旨とする。
【０００７】
上記目的を達成するために、本考案（２）のワンタッチ取付平蝶番は、
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出され、その突出端の中央部に溝を有する一対の軸受プレート、及び前記一対の軸受プレート間の中央に前記取付片の取り付け側の面から前記各軸受プレートの前記溝又はその近傍まで突出され、その突出端面から前記取付片まで貫通するシャフト挿通部を有する台座からなり、前記各軸受プレートの両側でかつ突出端側にそれぞれ、軸挿通部を有する軸受・台座ブロックと、
各々、前記軸受・台座ブロックの前記各一対の軸受プレート間で前記台座の両側に嵌合可能に略コマ状に形成され、前記一対の軸受プレート間の前記台座の両側に一端縁部を前記一対の軸受プレートの突出端側に向けて他端縁部を前記取付片側に向けて嵌合配置された状態での前記一対の軸受プレートの両側各側縁部間から外側に表れる外面部から前記他端縁部にかけてに係止爪を有し、前記一対の軸受部間の前記台座の両側に対称的に嵌合配置され、前記一対の軸受プレートの両側でかつ突出端側の各軸挿通部間に挿着される一対の軸を介して回動可能に支持されて、前記各係止爪を前記一対の軸受プレートの両側各側縁部間から出没可能に配置される一対のフックと、
前記一対のフックと前記台座との間に介装され、前記各フックを常態として前記一対の軸受プレートの両側各側縁部間から突出可能に回動付勢するばね部材と、
前記軸受・台座ブロックの前記台座のシャフト挿通部に挿通され、一端に前記台座の突出端面から突出される解除レバー取付部を有し、他端に前記取付片に開口される前記シャフト挿通部の周囲に回転可能に配置される工具係合部を有するシャフト、及び前記シャフトの前記解除レバー取付部に前記シャフトと一体回転可能に固定されて、前記台座の突出端面で前記一対の軸受プレートの各溝間に前記一対のフックの一端間に係合可能に配置され、前記工具係合部の回転操作により、前記台座の突出端面で旋回されて前記各フックの一端間を押し広げ、前記各フックを前記一対の軸受プレートの両側各側縁部間に没入させる解除レバーと、
を有し、
前記開閉部材、前記取付部材において前記一側の蝶番、前記他側の蝶番の前記各取付片の各取付位置に、前記取付フックの前記一対の軸受プレートを嵌挿可能に取付孔を設け、
前記一側の蝶番、前記他側の蝶番の前記各取付片を、前記取付フックの前記一対の軸受プレートを前記各フックとともに前記取付孔にワンプッシュで通し、前記各フックを前記取付孔の縁部又は縁部周囲に係止することにより、前記開閉部材、前記取付部材に取り付け、
前記工具係合部の回転操作により前記各フックの係止爪と前記取付孔の縁部又は縁部周囲との係合を解除する、
ことを要旨とする。
【０００８】
上記目的を達成するために、本考案（３）のワンタッチ取付平蝶番は、
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出され、その突出端の中間部に溝を有する一対の軸受プレート、及び前記一対の軸受プレート間の中央に前記取付片の取り付け側の面から前記各軸受プレートの前記溝又はその近傍まで突出され、その突出端面から前記取付片まで貫通するシャフト挿通部を有する台座からなり、前記各軸受プレートの両側でかつ突出端側にそれぞれ、軸挿通部を有する軸受・台座ブロックと、
各々、前記軸受・台座ブロックの前記一対の軸受プレート間に嵌合可能に略コマ状に形成され、前記一対の軸受プレート間に一端縁部を前記一対の軸受プレートの突出端側に向けて他端縁部を前記取付片側に向けて嵌合配置された状態で前記一対の軸受プレートの両側各側縁部間から外側に表れる外面部から前記他端縁部にかけてに係止爪を有し、前記一対の軸受プレート間に対称的に嵌合配置され、前記一対の軸受プレートの突出端側に一対の軸を介して回動可能に支持されて、前記各係止爪を前記一対の軸受プレートの両側各側縁部間から出没可能に配置される一対のフックと、
前記一対のフックと前記台座との間に介装され、前記各フックを常態として前記一対の軸受プレートの両側各側縁部間から突出可能に回動付勢するばね部材と、
前記軸受・台座ブロックの前記台座のシャフト挿通部に挿通され、一端に前記台座の突出端面から突出される解除レバー取付部を有し、他端に前記取付片に開口される前記シャフト挿通部の周囲に回転可能に配置される解除レバー回転操作部及び前記解除レバー回転操作部に係止溝と係止爪の弾性係合によるロック形式で着脱可能に連結される解除ハンドルを有するシャフト、及び前記シャフトの前記解除レバー取付部に前記シャフトと一体回転可能に固定されて、前記台座の突出端面で前記一対の軸受プレートの各溝間に前記一対のフックの一端間に係合可能に配置され、前記解除レバー回転操作部の回転操作により、前記台座の突出端面で旋回されて前記各フックの一端間を押し広げ、前記各フックの係止爪を前記一対の軸受プレートの両側各側縁部間に没入させる解除レバーと、
を有し、
前記開閉部材、前記取付部材において前記一側の蝶番、前記他側の蝶番の前記各取付片の各取付位置に、前記取付フックの前記一対の軸受プレートを嵌挿可能に取付孔を設け、
前記一側の蝶番、前記他側の蝶番の前記各取付片を、前記取付フックの前記一対の軸受プレートを前記各フックとともに前記取付孔にワンプッシュで通し、前記各フックを前記取付孔の縁部又は縁部周囲に係止することにより、前記開閉部材、前記取付部材に取り付け、
前記解除レバー回転操作部に前記解除ハンドルを前記係止溝と前記係止爪の弾性係合により連結ロックして、前記解除レバー回転操作部を前記解除ハンドルにより回転操作することにより前記各フックの係止爪と前記取付孔の縁部又は縁部周囲との係合を解除する、
ことを要旨とする。
【０００９】
上記目的を達成するために、本考案（４）のワンタッチ取付平蝶番は、
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して突出されるシャフトと、
前記シャフトの外周面任意の位置から前記シャフトの内部に前記シャフトの軸方向と平行にスリットを形成されて、前記スリットの両側に設けられる一対の軸受部と、
前記シャフトの前記スリット内に嵌合可能に略コマ状に形成され、前記スリット内に一端部を前記各シャフトの先端部側に向けて他端部を前記取付片側に向けて嵌合配置された状態での前記スリットより外側に表れる外面部から前記他端部にかけてに係止爪を有し、前記スリット内に前記一対の軸受部の先端部側で一対の軸を介して回動可能に支持されて、前記係止爪を前記スリットから出没可能に配置されるフックと、
前記一対の軸受部と前記フックとの間に介装され、前記フックを常態として前記スリットから外側に突出可能に回動付勢するばね部材と、
を備え、
前記開閉部材、前記取付部材において前記一側の蝶番、前記他側の蝶番の前記各取付片の各取付位置に、前記取付フックの前記シャフトを嵌挿可能に取付孔を設け、
前記一側の蝶番、前記他側の蝶番の前記各取付片を、前記シャフトを前記フックとともに前記取付孔にワンプッシュで通し、前記フックを前記取付孔の縁部又は縁部周囲に係止することにより、前記開閉部材、前記取付部材に取り付ける、
ことを要旨とする。
【考案の効果】
【００１０】
本考案（１）のワンタッチ取付平蝶番によれば、一側の蝶番及び他側の蝶番の各取付片の取り付け側の面に、一対の軸受部と、一対のフックと、ばね部材とからなる取付フックを備え、開閉部材、取付部材において一側の蝶番、他側の蝶番の各取付片の各取付位置に、取付フックの一対の軸受部を嵌挿可能に取付孔を設け、一側の蝶番、他側の蝶番の各取付片を、取付フックの一対の軸受部を各フックとともに取付孔にワンプッシュで通し、各フックを取付孔の縁部又は縁部周囲に係止することにより、開閉部材、取付部材に取り付けるので、一側の蝶番及び他側の蝶番の各取付片をその取付位置にワンタッチで簡易に取り付けることができ、取付時間の短縮を図ることができる、という本考案独自の格別な効果を奏する。
【００１１】
本考案（２）のワンタッチ取付平蝶番によれば、一側の蝶番及び他側の蝶番の各取付片の取り付け側の面に、一対の軸受プレート及び台座を有する軸受・台座ブロックと、一対のフックと、ばね部材と、解除レバー取付部、工具係合部を有するシャフトと、解除レバーとからなる取付フックを備え、開閉部材、取付部材において一側の蝶番、他側の蝶番の各取付片の各取付位置に、取付フックの一対の軸受プレートを嵌挿可能に取付孔を設け、一側の蝶番、他側の蝶番の各取付片をそれぞれ、取付フックの一対の軸受プレートを各フックとともに取付孔にワンプッシュで通し、各フックを取付孔の縁部又は縁部周囲に係止することにより、開閉部材、取付部材に取り付けるようにしたので、一側の蝶番及び他側の蝶番の各取付片をその取付位置にワンタッチで簡易に取り付けることができ、取付時間の短縮を図ることができる、という本考案独自の格別な効果を奏する。
【００１２】
本考案（３）のワンタッチ取付平蝶番によれば、一側の蝶番及び他側の蝶番の各取付片の取り付け側の面に、一対の軸受プレート及び台座を有する軸受・台座ブロックと、一対のフックと、ばね部材と、解除レバー取付部、解除レバー回転操作部及び解除ハンドルを有するシャフトと、解除レバーとからなる取付フックを備え、開閉部材、取付部材において一側の蝶番、他側の蝶番の各取付片の各取付位置に、取付フックの一対の軸受プレートを嵌挿可能に取付孔を設け、一側の蝶番、他側の蝶番の各取付片をそれぞれ、取付フックの一対の軸受プレートを各フックとともに取付孔にワンプッシュで通し、各フックを取付孔の縁部又は縁部周囲に係止することにより、開閉部材、取付部材に取り付けるようにしたので、一側の蝶番及び他側の蝶番の各取付片をその取付位置にワンタッチで簡易に取り付けることができ、取付時間の短縮を図ることができる、という本考案独自の格別な効果を奏する。
【００１３】
本考案（４）のワンタッチ取付平蝶番によれば、一側の蝶番及び他側の蝶番の各取付片の取り付け側の面に、シャフトと、一対の軸受部と、フックと、ばね部材とからなる取付フックを備え、開閉部材、前記取付部材において一側の蝶番、他側の蝶番の各取付片の各取付位置に、取付フックのシャフトを嵌挿可能に取付孔を設け、一側の蝶番、他側の蝶番の各取付片を、シャフトをフックとともに取付孔にワンプッシュで通し、フックを取付孔の縁部又は縁部周囲に係止することにより、開閉部材、取付部材に取り付けるので、一側の蝶番及び他側の蝶番の各取付片をその取付位置にワンタッチで簡易に取り付けることができ、取付時間の短縮を図ることができる、という本考案独自の格別な効果を奏する。
【図面の簡単な説明】
【００１４】
【図１】本考案の第１乃至第４の各実施の形態に係るワンタッチ取付平蝶番の本体の共通の構成を示す図（斜視図）
【図２】本考案の第１の実施の形態に係るワンタッチ取付平蝶番の特に取付フックの構成を示す図（斜視図）
【図３】同ワンタッチ取付平蝶番の特に取付フックの構成を示す図（断面図）
【図４】同ワンタッチ取付平蝶番の特に取付フックに用いるフックの構成を示す図（（ａ）は側面断面図（ｂ）は内面部から見た図）
【図５】同ワンタッチ取付平蝶番の使用例を示す図
【図６】本考案の第２の実施の形態に係るワンタッチ取付平蝶番の特に取付フックの構成を示す図（（ａ）は正面図（ｂ）は平面図（ｃ）は一部断面拡大側面図（ｄ）は要部拡大側面断面図）
【図７】同ワンタッチ取付平蝶番の特に取付フックの構成を示す図（（ａ）は正面側斜視図（ｂ）は背面側斜視図）
【図８】同ワンタッチ取付平蝶番の特に取付フックの構成を示す図（（ａ）は正面側斜視図（ｂ）は背面側斜視図）
【図９】同ワンタッチ取付平蝶番の特に取付フックに用いるフックの構成を示す図（側面断面図）
【図１０】同ワンタッチ取付平蝶番の使用例を示す図
【図１１】本考案の第３の実施の形態に係るワンタッチ取付平蝶番の特に取付フックの構成を示す図（（ａ）は背面側斜視図（ｂ）は正面側斜視図）
【図１２】同ワンタッチ取付平蝶番の特に取付フックの構成を示す図（断面図）
【図１３】同ワンタッチ取付平蝶番の特に取付フックに用いるフックの構成を示す図（（ａ）は側面図（ｂ）は側面断面図（ｃ）は内面部側から見た図）
【図１４】同ワンタッチ取付平蝶番の使用例を示す図
【図１５】同ワンタッチ取付平蝶番の使用例を示す図
【図１６】本考案の第４の実施の形態に係るワンタッチ取付平蝶番の特に取付フックの構成を示す図（（ａ）は側面図（ｂ）は平面図（ｃ）側面断面図）
【図１７】同ワンタッチ取付平蝶番の特に取付フックに用いるフックの構成を示す図（（ａ）は内面部側から見た図（ｂ）は側面図（ｃ）は外面部側から見た図）
【図１８】同ワンタッチ取付平蝶番の使用例を示す図
【考案を実施するための形態】
【００１５】
次に、この考案を実施するための形態について図を用いて説明する。図１に第１乃至第４の実施の形態に共通のワンタッチ取付平蝶番本体の構成を示し、図２乃至図１８に第１、第２、第３、第４の実施の形態毎に異なる取付フックの構成を示している。
【００１６】
（第１乃至第４の実施の形態に共通のワンタッチ取付平蝶番の本体の構成）
図１に示すように、ワンタッチ取付平蝶番Ｈ（以下の説明において、単に平蝶番Ｈという。）は、全体がステンレス鋼により形成され、平板状の取付片ｈ１と筒状軸受部ｈ２を有する一側の蝶番Ｈ１と、平板状の取付片ｈ１と筒状軸受部ｈ２を有する他側の蝶番Ｈ２と、各蝶番Ｈ１、Ｈ２の各筒状軸受部ｈ２間に挿通される１本の軸ｈ３と、各蝶番Ｈ１、Ｈ２の各筒状軸受部ｈ２の開口に嵌挿される２つの筒状軸受部キャップ（ぎぼし）（図示省略）とを備えて構成される。
【００１７】
この場合、２つの蝶番Ｈ１、Ｈ２はいずれも、図２に示すように、取付片ｈ１が長方形の平板状に形成され、筒状軸受部ｈ２が取付片ｈ１の一側部に一体に円筒状に形成される。
【００１８】
軸ｈ３は充実軸で、各筒状軸受部ｈ２間に嵌合可能に各筒状軸受部ｈ２の開口の内径と略同じか又は少し小さい外径でかつ各筒状軸受部ｈ２間に挿通可能に各筒状軸受部ｈ２間全体の長さよりも少し短い所定の長さの長い円柱形に形成され、その長さ方向中央にリング部ｈ３１が外周方向に突出形成される。
【００１９】
なお、２つの筒状軸受部キャップはいずれも、頭部と軸部とならなる。頭部は筒状軸受部の開口側の端部の外径と略同径の円盤形に形成される。軸部は頭部の下面中心に断面略楕円形の筒形に形成され、先端のテーパ部と、中間の筒部と、後端の筒部とを有する。先端のテーパ部の先端径は筒状軸受部の開口の内径よりも小さく、このテーパ部の後端径及び中間の筒部は筒状軸受部の開口の内径よりも少し大きく、後端の筒部は筒状軸受部の開口の内径と略同じか僅かに小さくなっている。そして、この軸部の周面相互に対向する位置にそれぞれ先端から後端に向けて略Ｕ字形の溝が形成される。かくして一方の筒状軸受部キャップは軸部が筒状軸受部の一方の開口に嵌め込まれて、軸部の周面が当該開口の内面に対して圧縮方向に弾性変形するとともにこの周面の復帰力により中間の筒部が当該開口内面に対して弾性的に圧接し、この筒部が当該開口の内面に対して摩擦係合して、筒状軸受部の開口に係合固定される。他方の筒状軸受部キャップもまた同様にして筒状軸受部の開口に係合固定される。
【００２０】
このようにして一側の蝶番Ｈ１の取付片ｈ１を扉を含む開閉部材の一側部に取り付け、他側の蝶番Ｈ２の取付片ｈ１を扉の取付開口枠を含む取付部材に取り付け、各蝶番Ｈ１、Ｈ２を軸ｈ３を介して枢着連結して、開閉部材を取付部材に開閉可能に取り付けるようになっている。なお、ここでは、一側の蝶番Ｈ１の取付片ｈ１を扉に取り付け、他側の蝶番Ｈ２の取付片ｈ１を取付開口枠に取り付けるものとする。
【００２１】
（第１の実施の形態）
図２乃至図５に第１の実施の形態を示している。
図２に示すように、平蝶番Ｈは、一側の蝶番Ｈ１及び他側の蝶番Ｈ２の各取付片ｈ１の取り付け側の面に取付フックＦを備える。この取付フックＦは、一対の軸受部２と、一対のフック３と、ばね部材５（図３参照）とからなる。
【００２２】
一対の軸受部２は、取付片ｈ１の取り付け側の面に当該面の周縁部をフランジ１１として残して平行に突出される。
【００２３】
この場合、一対の軸受部２はそれぞれ、取付片ｈ１の取り付け側の面に一体に、この面の全周縁をフランジ１１として残すように取付片ｈ１の各縦方向の縁部、各横方向の縁部よりも内側に入った位置に各縦方向の縁部と平行に、扉、取付開口枠に設ける各取付孔に嵌挿可能な大きさで当該各取付孔を通り抜け可能に所定の長さを有する角形に、この場合は長方形状に、全体としてフラットなプレート状に形成される。また、この場合、図３に示すように、取付片ｈ１の取り付け側の面で一対の軸受部２間の両端部にそれぞれ凸段状に、ここでは断面略長方形の凸状に、一対のフック３のためのストッパー２１が併せて形成される。そして、各軸受部２の突出端２０１側（つまり、取付片ｈ１とは反対側の端部側）の両側コーナーの近傍にそれぞれ、軸４を挿通可能な軸挿通部２０が形成される。なお、各軸受部２の外側（言い換えれば、外向き）の平面で各軸挿通部２０の全周縁部にテーパ状の凹部２００が併せて形成される。
【００２４】
一対のフック３は、各々、一対の軸受部２間両側に嵌合可能に略コマ状に形成され、一対の軸受部２間両側に一端縁部３０１を一対の軸受部２の突出端２０１側に向けて他端縁部３０２を取付片ｈ１側に向けて嵌合配置された状態での一対の軸受部２の両側各側縁部２０３間、２０４間から外側に表れる外面部３０３から他端縁部３０２にかけてに係止爪３１を有する。これらのフック３は、一対の軸受部２間両側に対称的に嵌合配置され、一対の軸受部２の突出端２０１側に一対の軸４を介して回動可能に支持されて、各係止爪３１を一対の軸受部２の両側各側縁部２０３間、２０４間から出没可能に配置される。
【００２５】
ばね部材５は、図３に示すように、各フック３間に介装され、各フック３を常態として一対の軸受部２の両側各側縁部２０３間、２０４間から外側に突出可能に回動付勢する。
【００２６】
この場合、一対のフック３はそれぞれ、一対の軸受部２の長方形の平面の両側半面内に配置可能な大きさで、この長方形の平面内で縦方向中央位置を対称中心として対称的な形状になっている。また、これらのフック３は、図４に示すように、回動中心がそれぞれ、各軸受部２の突出端２０１に対応する各フック３の一端縁部３０１側で各軸受部２の両側各側縁部２０３、２０４に対応する外面部３０３寄りに設けられて、ここに軸４を挿通可能に軸挿通部３０が形成され、取付片１側に対応する各フック３の他端縁部３０２は円の中心をフック３の回動中心よりもフック３の一端縁部３０１に近く外面部３０３とは反対の内面部３０４寄りの位置におく円弧状に形成される。
【００２７】
さらに、これらのフック３は、図４に示すように、外面部３０３が軸受部２の両側各側縁部２０３、２０４と平行に断面直線状のフラットな面として形成され、フック３の一端縁部３０１は複合形状で、外面部３０３側の一部がフック３の回動中心に円の中心をおく断面円弧状に形成され、内面部３０４側の残部がフック３の回動中心を対称中心としてフック３の外面部３０３と対称的に斜めにフラットな面として形成され、フック３の内面部３０４は外面部３０３と平行に又は平行よりも少し開く方向に、ここでは後者の方向に向けてフラットな面として形成される。そして、各フック３の他端縁部３０２には内面部３０４側の端部に取付片１の各ストッパー２１に係合可能に凸状に、ここでは断面台形状に回動規制部３２が併せて設けられる。
【００２８】
また、この場合、図４に示すように、各フック３の内面部３０４に円筒状の孔３３が形成され、図３に示すように、ばね部材５としてコイルスプリング５を採用され、コイルスプリング５が両端を各フック３の孔３３に保持されて各フック３間に介装される。各フック３の孔３３は、図３に示すように、この平蝶番Ｈが扉、取付開口枠に設けた取付孔に取り付けられる際に、一対の軸受部２が各フック３とともに扉、取付開口枠の各取付孔に通される前又は後、各フック３の係止爪３１が各軸受部２の両側各側縁部２０３間、２０４間から突出されたときにコイルスプリング５が取付片ｈ１側に凸の円弧状に変形可能に、各フック３の内面部３０４の面に対して所定の角度を付けて形成され、かつこの孔３３のフック３の他端縁部３０２側の内周面の一部３３１が、一対の軸受部２が各フック３とともに扉、取付開口枠の取付孔に通され各フック３の係止爪３１が各軸受部２の両側各側縁部２０３間、２０４間に没入されるときにコイルスプリング５を取付片ｈ１とは反対側に凸の円弧状に変形案内可能に、孔３３の奥側から開口側に向けて漸次拡径される所定の角度の傾斜を付けて形成される。
【００２９】
平蝶番Ｈは、一側の蝶番Ｈ１及び他側の蝶番Ｈ２の取付フックＦの各部がかかる構成を有し、図２に示すように、一対のフック３が一対の軸受部２間に各軸受部２の縦方向中央の位置を対称中心として対称的に配置され、各軸受部２の突出端２０１側の両側コーナー近傍の各軸挿通部２０と各フック３の軸挿通部３０とを合せて、これらの軸挿通部２０、３０にそれぞれ軸４が通されて、各軸受部２間に回動可能に支持されて、組み立てられる。なお、各軸４の両端は各軸受部２のテーパ状の溝２００内でカシメられて固定される。
【００３０】
このようにして平蝶番Ｈは、扉、取付開口枠において一側の蝶番Ｈ１、他側の蝶番Ｈ２の各取付位置に、取付フックＦの一対の軸受部２を嵌挿可能に取付孔を設け、一側の蝶番Ｈ１、他側の蝶番Ｈ２の各取付片ｈ１を、取付フックＦの一対の軸受部２を各フック３とともに取付孔にワンプッシュで通し、各フック３を取付孔の縁部に弾性係止することにより、扉、取付開口枠に取り付けるようになっている。
【００３１】
図５にこの平蝶番Ｈの一側の蝶番Ｈ１、他側の蝶番Ｈを扉、取付開口枠の各取付位置に取り付ける場合を例示している。
この平蝶番Ｈの取り付けに当たって、まず、図５（１）に示すように、扉、取付開口枠の各取付位置に、取付孔Ｆ０を、取付フックＦの一対の軸受部２を嵌挿可能に、縦方向の寸法が各軸受部２の縦方向の縁部の寸法と略同じかそれよりも僅かに大きく、横方向の寸法が各軸受部２の外側（外向き）の面間の寸法と略同じかそれよりも僅かに大きい縦長の長方形状に開ける。
【００３２】
そして、平蝶番Ｈをこの取付孔Ｆ０に取り付ける。なお、平蝶番Ｈの使用前の通常の状態は、図２に示すように、一対の軸受部２の間で一対のフック３がフック３間のコイルスプリング５（図３参照）により各軸受部２の両側各側縁部２０３、２０４方向に押圧付勢されて、各フック３の外面部３０３から他端縁部３０２の一部、すなわち、係止爪３１が各軸受部２の両側各側縁部２０３間、２０４間から外側に突出される。この場合、取付片ｈ１の取り付け側の面で一対の軸受部２間の両端部に凸段状にストッパー２１が形成され、各フック３の他端縁部３０２の内面部３０４側の端部に取付片ｈ１の各ストッパー２１に係合可能に凸状の回動規制部３２が設けられているので、各フック３の各軸受部２からの飛び出しが確実に防止される。
【００３３】
まず、図５（１）に示すように、一側の蝶番Ｈ１を扉の取付孔Ｆ０位置に取り付ける。この場合、一側の蝶番Ｈ１を取付孔Ｆ０の向きに合せて縦向きにし、一対の軸受部２を各フック３とともに取付孔Ｆ０に差し込み押し込む（ワンプッシュする）。
【００３４】
このようにすると、図５（２）に示すように、取付片ｈ１の各軸受部２が、各軸受部２の両側各側縁部２０３、２０４及び各外側（外向き）の平面が先端から中間へ、中間から基端へ取付孔Ｆ０の横方向及び縦方向の各縁部を摺動しつつ、取付孔Ｆ０に通される。この間、各軸受部２の両側各側縁部２０３間、２０４間から外側に突出される各フック３の各係止爪３１が取付孔Ｆ０の各横方向の縁部に接触して押圧され、各係止爪３１が各フック３間のコイルスプリング５の付勢力に抗して（コイルスプリング５を圧縮しながら）各軸受部２間に向けて回動し各軸受部２の両側各側縁部２０３間、２０４間に没入される。そして、各フック３１が完全に各軸受部２の両側各側縁部２０３間、２０４間に没入されて各軸受部２が取付孔Ｆ０に完全に通されると、取付片ｈ１の取り付け側の面全周縁部のフランジ１１が扉の外側の面側で取付孔Ｆ０の全周縁部の周辺に当接するとともに、各軸受部２間に没入された各フック３が扉の内側の面側で、各フック３間のコイルスプリング５の付勢力（コイルスプリング５の弾性復帰）により、各軸受部２の両側各側縁部２０３間、２０４間から外側に突出されて、取付孔Ｆ０の各横方向の縁部に弾性係止される。ここで、この平蝶番Ｈは、図４に示したように、フック３の回動中心がフック３の一端縁部３０１側で外面部３０３寄りに設けられ、フック３の他端縁部３０２が円の中心をフック３の回動中心よりもフック３の一端縁部３０１に近く内面部３０４寄りの位置におく円弧状に形成されたことで、各フック３は、図５（３）に示すように、係止爪３１の外側への回動とともにこの係止爪３１の円弧状の部分が取付孔Ｆ０の各横方向の縁部に向けて迫り出し、取付孔Ｆ０の縁部に食い込んでいく。これにより、一対の軸受部２は、取付孔Ｆ０で扉の外側の面側から内側の面側へ引き寄せられて、取付片ｈ１の取り付け側の面のフランジ１１が扉の外側の面側で取付孔Ｆ０の全周縁部の周辺に圧接し、扉の板が取付片ｈ１と一対のフック３との間で締め付けられて、蝶番Ｈ１が扉に強固に固定される。
【００３５】
続いて、他側の蝶番Ｈ２を取付開口枠に扉と同様に設けた取付孔に、一側の蝶番Ｈ１と同様に取り付ける。この場合も、他側の蝶番Ｈ２の取付フックＦの各部が、一側の蝶番Ｈ１の取付フックＦの各部と同様に作用する。
【００３６】
そして、一側、他側の各蝶番Ｈ１、Ｈ２の筒状軸受部ｈ２を上下に同芯的に配置して、軸ｈ３を上下部の各筒状軸受部ｈ２に通し、一側の蝶番Ｈ１と他側の蝶番Ｈ２とを枢着連結する。なお、上部の筒状軸受部ｈ２の上端部、下部の筒状軸受部ｈ２の下端部には、軸受部キャップが嵌め込まれる。
【００３７】
以上説明したように、この平蝶番Ｈは、一側の蝶番Ｈ１及び他側の蝶番Ｈ１の各取付片ｈ１の取り付け側の面に、一対の軸受部２と、一対のフック３と、ばね部材５とからなる取付フックＦを備え、扉、取付開口枠において一側の蝶番Ｈ１、他側の蝶番Ｈ２の各取付片ｈ１の各取付位置に、取付フックＦの一対の軸受部２を嵌挿可能に取付孔を設け、一側の蝶番Ｈ１、他側の蝶番Ｈ２の各取付片ｈ１を、取付フックＦの一対の軸受部２を各フック３とともに取付孔にワンプッシュで通し、各フック３を取付孔の縁部に弾性係止することにより、扉、取付開口枠に取り付けるので、一側の蝶番Ｈ１及び他側の蝶番Ｈ２の各取付片ｈ１をその取付位置にワンタッチで簡易に取り付けることができ、取付時間の短縮を図ることができる。
【００３８】
また、この平蝶番Ｈはさらに次のような利点を有する。
（１）フック３の回動中心がフック３の一端縁部３０１側で外面部３０３寄りに設けられて、フック３の他端縁部３０２が円の中心をフック３の回動中心よりもフック３の一端縁部３０１に近く内面部３０４寄りの位置におく円弧状に形成されることで、この平蝶番Ｈを扉、取付開口枠の各取付孔に通しワンプッシュした後の各フック３は、各係止爪３１の外側への回動とともにこれら係止爪３１の円弧状の部分が取付孔の各横方向の縁部に向けて迫り出し、取付孔の各縁部に食い付かせることができる。これにより、一対の軸受部２を扉、取付開口枠の各取付孔で扉、取付開口枠の外側の面側から内側の面側へ引き寄せ、取付片ｈ１の取付側の面のフランジ１１を扉、取付開口枠の外側の面側で取付孔の全周縁部の周辺に圧接して、扉、取付開口枠の板を取付片ｈ１と一対のフック３との間で締め付けることができ、扉、取付開口枠の板厚に多少のバラつきがあっても、平蝶番Ｈの取付片ｈ１を扉、取付開口枠にガタツクことなく確実に固定することができる。
（２）各フック３は外面部３０３が各軸受部２の両側各側縁部２０３、２０４と平行に形成され、フック３の一端縁部３０１で外面部３０３側の一部がフック３の回動中心に円の中心をおいた円弧状に形成され、内面部側の残部がフック３の回動中心を対称中心としてフック３の外面部３０３と対称的に斜めに形成され、フック３の内面部３０４は外面部３０３と平行に又は平行よりも少し開く方向に向けて形成されることで、各フック３を角形の一対の軸受プレート２内に各係止爪３１のみが各軸受部２の両側各側縁部２０３間、２０４間から出没可能に配置することができる。
この場合、取付片ｈ１の取り付け側の面で一対の軸受部２間の両端部に凸段状にストッパー２１が形成され、各フック３の他端縁部３０２の内面部３０４側の端部に取付片１の各ストッパー２１に係合可能に凸状の回動規制部３２が設けられるので、各フック３の各軸受部２からの飛び出しを確実に防止することができ、各フック３の係止爪３１を各軸受部２の両側各側縁部２０３間、２０４間から確実に出没させることができる。
また、この場合、各フック３の内面部３０４に筒状の孔３３が形成され、ばね部材としてコイルスプリング５を採用され、コイルスプリング５が両端を各フック３の孔３３に保持されて各フック３間に介装されるようにしたことで、各フック３を簡単な構造で各軸受部２の両側各側縁部２０３、２０４方向に確実に回動付勢することができる。
さらに、この場合、各フック３の孔３３は、一対の軸受部２が各フック３とともに扉、取付開口枠の各取付孔に通される前又は後、各フック３の係止爪３１が各軸受部２の両側各側縁部２０３間、２０４間から突出されたときにコイルスプリング５が取付片ｈ１側に凸の円弧状に変形可能に、各フック３の内面部３０４に対して所定の角度を付けて形成され、かつこの孔３３のフック３の他端縁部３０２側の内周面の一部３３１が、一対の軸受部２が各フック３とともに扉、取付開口枠の各取付孔に通され各フック３の係止爪３１が各軸受部２の両側各側縁部２０３間、２０４間に没入されるときにコイルスプリング５を取付片ｈ１とは反対側に凸の円弧状に変形案内可能に、孔３３の奥側から開口側に向けて漸次拡径される所定の角度の傾斜を付けて形成されるので、コイルスプリング５の伸縮変形を良好にし、各フック３の係止爪３１を各軸受部２の両側各側縁部２０３間、２０４間から確実かつ円滑に出没させることができる。
（３）取付片ｈ１は扉、取付開口枠の各取付孔６１よりも大きい角形のプレートからなり、一対の軸受部２がそれぞれ、扉、取付開口枠の各取付孔に嵌挿可能な大きさで、この各取付孔を通り抜け可能に所定の長さを有する角形に形成されて、扉、取付開口枠の各取付孔が角形に開口されるので、扉、取付開口枠の各取付孔を単純な形状にし、孔明けに要するコストを低く抑えることができる。
【００３９】
なお、この実施の形態では、ばね部材にコイルスプリング５が用いられ、コイルスプリング５が一対のフック３間に介装されるものとしたが、このばね部材にトーションスプリングや板ばねが用いられ、各フックと各軸受部との間に介装されるものであってもよい。
このようにしても上記実施の形態と同様の作用効果を奏することができる。
【００４０】
また、この実施の形態では、取付フックＦの一対の軸受部２を各フック３とともに取付孔にワンプッシュで通し、各フック３を取付孔の縁部に弾性係止するものとしたが、取付フックの一対の軸受部を各フックとともに取付孔にワンプッシュで通し、各フックを取付孔の縁部周囲に弾性係止するようにしてもよい。このようにしても上記実施の形態と同様の作用効果を奏することができる。
【００４１】
さらに、この実施の形態では、平蝶番を扉、取付開口枠に取り付ける場合について例示したが、例えば蓋など扉以外の開閉部材を取付開口枠に取り付ける場合にも、同様に適用することができ、扉以外の取り付けにも広く使用することができる。
【００４２】
（第２の実施の形態）
図６乃至図１０に第２の実施の形態を示している。
図６、図７及び図８に示すように、平蝶番Ｈは、一側の蝶番Ｈ１及び他側の蝶番Ｈ２の各取付片ｈ１の取り付け側の面に取付フックＦを備える。この取付フックＦは、軸受・台座ブロック２Ａと、一対のフック３と、ばね部材５と、工具係合部７２を有するシャフト７（図８参照）と、解除レバー７３とからなる。
【００４３】
軸受・台座ブロック２Ａは、取付片ｈ１の取り付け側の面に当該面の周縁部をフランジ１１として残して平行に突出され、その突出端２０１の中央部に溝２０２を有する一対の軸受プレート２、及び一対の軸受プレート２間の中央に取付片ｈ１の取り付け側の面から各軸受プレート２の溝２０２又はその近傍まで突出され、その突出端面２２１から取付片ｈ１まで貫通するシャフト挿通部２２０を有する台座２２からなり、各軸受プレート２の両側でかつ突出端２０１側にそれぞれ、軸挿通部２０を有する。
【００４４】
この場合、一対の軸受プレート２はそれぞれ、取付片ｈ１の取り付け側の面に一体に、この面の全周縁をフランジ１１として残すように取付片ｈ１の各縦方向の縁部、各横方向の縁部よりも少し内側に入った位置に各縦方向の縁部と平行に、扉、取付開口枠の各取付孔に嵌挿可能な大きさでかつ当該各取付孔を通り抜け可能に所定の長さを有する角形に、この場合は長方形状に、全体としてフラットなプレート状に形成される。また、各軸受プレート２の突出端２０１中央部、この場合、突出端２０１で内側面の中央部に溝２０２が外側面に向けて凸の断面円弧状に形成される。なお、これらの溝２０２は後述する解除レバー７３の旋回経路上にあり、これらの溝２０２により解除レバー７３が旋回可能となる。そして、この一対の軸受プレート２にそれぞれ、各軸受プレート２の両側の突出端２０１側でかつ溝２０２よりも少し取付片ｈ１側に寄った所定の位置に、軸４を挿通可能に軸挿通部２０が円形の孔として形成される。なお、この場合、一対の軸受プレート２の一方の軸挿通部２０は他方の軸挿通部２０よりも少し小さい径に形成され、その一方の軸受プレート２の外側（言い換えれば、外向き）の平面で一方の軸挿通部２０の全周縁部にテーパ状の凹部（図示省略）が併せて形成される。また、この場合、各軸４は一端が他端よりも小径に形成され、一端が各軸受２３の一方の軸挿通部２０に通され、他端が各軸受プレート２の他方の軸挿通部２０に通され、一端がテーパ状の凹部内でカシメられて固定される。
【００４５】
また、この場合、台座２２は、取付片ｈ１の取り付け側の面に、一対の軸受プレート２とともに一体に、一対の軸受プレート２間の中央に取付片ｈ１の取り付け側の面から各軸受プレート２の溝２０２又はその近傍まで角柱状に突出され、この台座２２の軸心上にシャフト挿通部２２０が突出端面２２１から取付片ｈ１まで貫通して円筒状に形成される。この場合、シャフト挿通部２２０の取付片ｈ１側の開口の周囲に、後述するシャフト７の工具係合部７２が嵌合可能にシャフト挿通部２２０の径よりも大きい円形の凹部１０５が併せて形成される。またこの場合、台座２２の両側面でその長手方向中間部に円筒状の孔２２３が後述するコイルスプリング５が嵌合可能に開口形成される。
【００４６】
このような軸受・台座ブロック２Ａの形状により、扉、取付開口枠の各取付孔はそれぞれ一対の軸受プレート２が嵌挿可能に角形に、この場合は、縦に長い長方形状の単純な形状に開口される。この場合、各取付孔は縦方向の縁部の寸法が各軸受プレート２の縦方向の縁部の寸法と略同じかそれよりも僅かに大きく、横方向の縁部の寸法が各軸受プレート２の外側（外向き）の面間の寸法と略同じかそれよりも僅かに大きい開口になっている。
【００４７】
一対のフック３は、各々、軸受・台座ブロック２Ａの一対の軸受プレート２間で台座２２の両側に嵌合可能に略コマ状に形成され、一対の軸受プレート２間の台座２２の両側に一端縁部３０１を一対の軸受プレート２の突出端２０１側に向けて他端縁部３０２を取付片ｈ１側に向けて嵌合配置された状態での一対の軸受プレート２の両側各側縁部２０３間、２０４間から外側に表れる外面部３０３から他端縁部３０２にかけてに係止爪３１を有する。これらのフック３は、一対の軸受プレート２間の台座２２の両側に対称的に嵌合配置され、一対の軸受プレート２の両側でかつ突出端２０１側の各軸挿通部２０間に挿着される一対の軸４を介して回動可能に支持されて、各係止爪３１が一対の軸受プレート２の両側各側縁部２０３間、２０４間から出没可能に配置される。
【００４８】
この場合、一対のフック３はそれぞれ、一対の軸受プレート２間で台座２２の両側に配置可能な大きさで、台座２２を対称中心として対称的なコマ形状になっている。図９に示すように、これらフック３の回動中心はそれぞれ、フック３の一端縁部３０１、他端縁部３０２間の中間部で一端縁部３０１寄りに設けられ、そこに軸４を挿通可能に軸挿通部３０が形成される。取付片ｈ１側に対応する各フック３の他端縁部３０２は円の中心を各フック３の回動中心よりも各フック３の一端縁部３０１に近くかつ外面部３０３とは反対側の内面部３０４寄りの位置におく円弧状に形成される。
【００４９】
また、各フック３の外面部３０３は各軸受プレート２の両側各側縁部２０３、２０４と平行に断面直線状のフラットな面として形成され、各フック３の一端縁部３０１は外面部３０３側よりも内面部３０４側が突出されて断面略刀の刃先状に斜めに形成され、各フック３の内面部３０４は外面部３０３と略平行に形成される。各フック３の内面部３０４には軸挿通部３０より少し他端縁部３０２側に後述するばね部材５としてのコイルスプリングの一端を保持可能に円筒状の溝３３が形成される。
【００５０】
ばね部材５は、一対のフック３と台座２２との間に介装され、各フック３を常態として一対の軸受プレート２の両側各側縁部２０３間、２０４間から突出可能に回動付勢する。
【００５１】
この場合、ばね部材５は、コイルスプリングが採用され（以下、コイルスプリング５という。）、コイルスプリング５は一端が各フック３の各溝３３に保持され、他端が台座２２の孔２２３に保持されて、各フック３と台座２２との間に介装される。ばね部材にコイルスプリング５が用いられたことで、各フック３の各溝３３は、図９に示すように、この平蝶番Ｈが扉、取付開口枠の各取付孔に取り付けられる際に、軸受・台座ブロック２Ａが各フック３とともに各取付孔に通される前又は後、各フック３の各係止爪３１が軸受・台座ブロック２Ａの各軸受プレート２の両側各側縁部２０３間、２０４間から突出されたときに、コイルスプリング５が取付片ｈ１側に凸の円弧状に変形可能に、かつ軸受・台座ブロック２Ａが各フック３とともに各取付孔に通され各フック３の係止爪３１が各軸受プレート２の両側各側縁部２０３間、２０４間に没入されたときに、コイルスプリング５を取付プレート１とは反対側に凸の円弧状に変形可能に、各フック３の溝３３は、各フック３の内面部３０４から各フック３の他端縁部３０２側方向斜めに所定の角度を付けて形成され、かつ各溝３３の各フック３の他端縁部３０２側及び／又は一端縁部３０１側の内周面の一部３３１が、溝３３の奥側から開口側に向けて漸次拡径される所定の角度の傾斜を付けて形成される。
【００５２】
シャフト７は、軸受・台座ブロック２Ａの台座２２のシャフト挿通部２２０に挿通され、一端に台座２２の突出端面２２１から突出される解除レバー取付部７１を有し、他端に取付片ｈ１に開口されるシャフト挿通部２２０の周囲に回転可能に配置される工具係合７２部を有する。
【００５３】
この場合、シャフト７は、台座２２のシャフト挿通部２２０に挿通可能にシャフト挿通部２２０の内径と略同径の円筒状に形成される。解除レバー取付部７１はシャフト７の一端に周方向に対向する外周縁部の一部が平行に断面直線状に形成され、残部が対称的に断面円弧状に形成され、その一端面から軸心上にねじ孔７１０が切られる。工具係合部７２はシャフト７の断面よりも大きい円形のプレート状に形成される。この工具係合部７２の表面にマイナスドライバー又は硬貨が係合可能に一文字状の溝７２１が形成される。
【００５４】
解除レバー７３は、シャフト７の解除レバー取付部７１にシャフト７と一体回転可能に固定されて、台座２２の突出端面２２１で一対の軸受プレート２の各溝２０２間に一対のフック３の一端間に係合可能に配置され、工具係合部７２の回転操作により、台座２２の突出端面２２１で旋回されて各フック３の一端間を押し広げ、各フック３を一対の軸受プレート２の両側各側縁部２０３間、２０４間に没入させる。
【００５５】
この場合、解除レバー７３は、各フック３に係合される両側面７３１の両端側が両端方向に漸次先細のテーパ状を呈する略舟形（略ボート形）のブロック状に形成され、解除レバー７３の台座２２の突出端面２２１に対向する面（背面）の両端側が両端方向に台座２２の突出端面２２１に対して漸次離間する傾斜状に形成される。この場合、解除レバー７３の各フック３に係合される両側面７３１両端側のテーパ形状はこの両側面７３１の両端が各フック３の内面部３０４に対して円滑に係合可能な程度にテーパ形状であればよく、解除レバー７３の台座２２の突出端面２２１に対向する面（背面）の両端側の傾斜形状は、解除レバー７３が台座２２の突出端面２２１に対して円滑に旋回（回転）可能な程度に傾斜形状であればよい。このようにして台座２２の突出端面２２１において（言い換えれば、解除レバー７３の回転中心に近い位置において）解除レバー７３の旋回（回り）を円滑にする。また、解除レバー７３の正面の中心から背面の中心と間に取付ねじ挿通孔７３２が穿設され、背面側の取付ねじ挿通孔７３２の開口周囲に、凹部が、シャフト７の一端の解除レバー取付部７１を嵌合可能に、取付ねじ挿通孔７３２の径よりも少し大きい円形を基本形とし、周方向に対向する内周縁部の一部を平行に断面直線状にして、残部を対称的に断面円弧状にして形成される。
【００５６】
平蝶番Ｈは、各部がかかる構成を有し、一対のフック３が一対の軸受プレート２間に各軸受プレート２間の台座２２を対称中心として対称的に配置され、各軸受プレート２の突出端２０１側の各軸挿通部２０と各フックの軸挿通部３０とを合せて、これらの軸挿通部２０、３０にそれぞれ軸４が通されて、各軸受プレート２間に回動可能に支持されて、組み立てられる。なお、この場合、各軸４は一端が、既述のとおり、各軸受プレート２の一方のテーパ状の溝内でカシメられて固定される。
また、台座２２のシャフト挿通部２２０に取付片ｈ１側の開口から、シャフト７が一端の解除レバー取付部７１から通されて、一端の解除レバー取付部７１が台座２２の突出端面２２１から突出され、シャフト７の他端の工具係合部７２が取付片ｈ１側の開口周囲の凹部１０５に嵌合されて、シャフト７が台座２２のシャフト挿通部２２０に回転可能に挿着される。そして、台座２２の突出端面２２１から突出されるシャフト７の解除レバー取付部７１が解除レバー７３の背面側から凹部に嵌め込まれ、解除レバー７３の正面側から取付ねじ挿通孔７３２に取付ねじ７３４が通されてシャフト７の一端のねじ孔７１０に締結されることにより、シャフト７に解除レバー７３が一体的に取り付けられる。
【００５７】
このようにして平蝶番Ｈは、扉、取付開口枠において一側の蝶番Ｈ１、他側の蝶番Ｈ２の各取付片ｈ１の各取付位置に、取付フックＦの一対の軸受プレート２を嵌挿可能に取付孔を設け、一側の蝶番Ｈ１、他側の蝶番Ｈ２の各取付片ｈ１を、取付フックＦの一対の軸受プレート２を各フック３とともに取付孔にワンプッシュで通し、各フック３を取付孔の縁部に係止することにより、扉、取付開口枠に取り付け、また、工具係合部７２の回転操作により各フック３の係止爪３１と取付孔の縁部との係合を解除するようになっている。
【００５８】
図１０（１）にこの平蝶番Ｈの一側の蝶番Ｈ１、他側の蝶番Ｈを扉、取付開口枠の各取付位置に取り付ける場合を、図１０（２）、（３）に一側の蝶番Ｈ１、他側の蝶番Ｈを扉、取付開口枠の各取付位置から取り外す場合を、それぞれ、例示している。
この平蝶番Ｈの取り付けに当たって、まず、扉、取付開口枠の各取付位置に、取付孔Ｆ０を、取付フックＦの一対の軸受プレート２を嵌挿可能に、縦方向の寸法が各軸受部プレートの縦方向の縁部の寸法と略同じかそれよりも僅かに大きく、横方向の寸法が各軸受プレート２の外側（外向き）の面間の寸法と略同じかそれよりも僅かに大きい縦長の長方形状に開ける。
【００５９】
そして、平蝶番Ｈをこの取付孔Ｆ０に取り付ける。なお、平蝶番Ｈの使用前の通常の状態は、一側の蝶番、他側の蝶番いずれも、一対の軸受プレート２の間で一対のフック３が各フック３と台座２２との間のコイルスプリング５により各軸受プレート２の両側各側縁部２０３、２０４方向に押圧付勢されて、各フック３の外面部３０３から他端縁部３０２の一部、すなわち、係止爪３１が各軸受プレート２の両側各側縁部２０３間、２０４間から外側に突出される。
【００６０】
まず、一側の蝶番Ｈ１を扉の一側部に設けた取付孔Ｆ０に取り付ける。この場合、図１０（１）に示すように、取付フックＦを取付孔Ｆ０の向きに合せ、この場合は、縦向きの取付孔Ｆ０に合わせて縦向きにして、軸受・台座ブロック２Ａを各フック３とともに取付孔Ｆ０に差し込み押し込む（ワンプッシュする）。
【００６１】
このようにすると、取付フックＦは軸受・台座ブロック２Ａが、各軸受プレート２の両側各側縁部２０３、２０４及び各外側（外向き）の平面が先端から中間へ、中間から基端へ取付孔Ｆ０の横方向及び縦方向の各縁部を摺動しつつ、取付孔Ｆ０に通される。この間、各軸受プレート２の両側各側縁部２０３間、２０４間から外側に突出される各フック３の各係止爪３１は取付孔Ｆ０の各横方向の縁部に接触して押圧され、各係止爪３１が各フック３と台座２２との間のコイルスプリング５の付勢力に抗して（コイルスプリング５を圧縮しながら）各軸受プレート２間に向けて回動し各軸受プレート２の両側各側縁部２０３間、２０４間に没入される。そして、軸受・台座ブロック２Ａが取付孔Ｆ０に完全に通されると、取付片ｈ１は取り付け側の面の全周縁部のフランジ１１が扉の外側の面側で取付孔Ｆ０の全周縁部の周辺に当接し、各軸受プレート２間内の各フック３は各フック３と台座２２との間のコイルスプリング５の付勢力（コイルスプリング５の弾性復帰）により各係止爪３１が各軸受プレート２間から各軸受プレート２の両側各側縁部２０３、２０４方向に回動し、各軸受プレート２の両側各側縁部２０３間、２０４間から外側に突出されて、扉の内側の面側で取付孔Ｆ０の各横方向の縁部に弾性係止される。ここで、この取付フックＦは、図９に示したように、各フック３の回動中心が各フック３の一端縁部３０１側に設けられ、各フック３の他端縁部３０２が円の中心を各フック３の回動中心よりも各フック３の一端縁部３０１に近く内面部３０４寄りの位置におく円弧状に形成されたことで、各フック３は、各係止爪３１の外側への回動とともに各係止爪３１の円弧状の部分が扉の内側の面側で取付孔Ｆ０の各横方向の縁部に向けて迫り出し、取付孔Ｆ０の各縁部に食い込んでいく。これにより、軸受・台座ブロック２Ａは、取付孔Ｆ０で扉の外側から内側へ引き寄せられ、取付片ｈ１の取り付け側の面のフランジ１１が扉の外側の面側で取付孔Ｆ０の全周縁部の周辺に圧接し、扉の板が取付片ｈ１と一対のフック３との間で締め付けられて、一側の蝶番Ｈ１が扉に強固に固定される。この場合、一側の蝶番Ｈ１は扉の取付孔Ｆ０に縦向きに取り付けられ、取付片ｈ１上の工具係合部７２の一文字状の溝７２１が横向きになっている。
【００６２】
続いて、他側の蝶番Ｈ２を取付開口枠に扉と同様に設けた取付孔Ｆ０に、一側の蝶番Ｈ１と同様に取り付ける。この場合も、他側の蝶番Ｈ２の取付フックＦの各部が、一側の蝶番Ｈ１の取付フックＦの各部と同様に作用する。
【００６３】
そして、一側、他側の各蝶番Ｈ１、Ｈ２の筒状軸受部ｈ２を上下に同芯的に配置して、軸ｈ３を上下部の各筒状軸受部ｈ２に通し、一側の蝶番Ｈ１と他側の蝶番Ｈ２とを枢着連結する。上部の筒状軸受部ｈ２の上端部、下部の筒状軸受部ｈ２の下端部には、軸受部キャップが嵌め込まれる。
【００６４】
このようにして一側、他側の各蝶番Ｈ１、Ｈ２が扉、取付開口枠の一側部に取り付けられた後、これらの蝶番Ｈ１、Ｈ２を取り外す場合は、図１０（２−１）、（２−２）を参照すると、一方の手で扉、取付開口枠の外側の面側で取付片ｈ１を掴み、他方の手で扉、取付開口枠の内側の面側の各フック３を各軸受プレート２間に押し込みながら、片側一方の手で取付片ｈ１を引いて各蝶番をＨ１、Ｈ２を引き抜けばよい。この引き抜きにより、各蝶番Ｈ１、Ｈ２は使用前の通常の状態に戻される。
【００６５】
また、一側、他側の各蝶番Ｈ１、Ｈ２を扉、取付開口枠の一側部から取り外す場合で、扉、取付開口枠の内側の面側で各フック３の係止爪３１と取付孔Ｆ０の縁部との係合位置に手が入らず、各フック３を直接手で押し込むことができないような場合は、この蝶番Ｈ１、Ｈ２をマイナスドライバー又は硬貨を使って簡単に取り外すことができる。ここでは、硬貨を使うものとする。図１０（２−１）、（２−２）を参照すると、まず、手に硬貨を横向きに持ち、この硬貨を取付片ｈ１の凹部１０５内に嵌め込まれているシャフト７の工具係合部７２の一文字状の溝７２１に差し込み係止して、工具係合部７２を一文字状の溝７２１が縦向きになるまで回す。この工具係合部７２を回すことで、シャフト７が回転し、一対のフック３の一端間で解除レバー７３が旋回（回転）する。解除レバー７３の旋回により、解除レバー７３は両側面７３１両端側のテーパ形状の係合案内により各フック３の内面部３０４が押圧されて各フック３の一端間が開く方向に回動され、また、解除レバー７３の背面の両端側の傾斜形状により解除レバー７３の回転中心に近い位置で解除レバー７３が円滑に回転される。この解除レバー７３の回転により、各フック３の一端間が開くことで、各フック３の各係止爪３１が取付孔Ｆ０の縁部から外れ、各軸受プレート２間に没入される。このようにして硬貨で工具係合部７２を一文字状の溝７２１が縦向きになるまで回すと、解除レバー７３はその両端で各フック３の内面部３０４を押圧して各フック３の一端間を最大限に開き、各フック３の各係止爪３１が各軸受プレート２間に完全に没入される。すなわち、この蝶番Ｈ１、Ｈ２と各取付孔Ｆ０の縁部との係合は完全に解除され、蝶番Ｈ１、Ｈ２は取付孔Ｆ０から取り外し可能となる。この状態から、片側一方の手で取付片ｈ１を引けば、蝶番Ｈ１、Ｈ１が取付孔Ｆ０から引き抜かれる。蝶番Ｈ１、Ｈ２を取付孔Ｆ０から引き抜いた後、硬貨で工具係合部７２を一文字状の溝７２１が横向きになるまで回す（戻す）と、シャフト７が元の位置まで回転されて、解除レバー７３が戻り、各フック３の一端間が閉じて各フック３の各係止爪３１が各軸受プレート２から突出されて、通常の状態に戻される。
【００６６】
以上説明したように、この平蝶番Ｈは、一側の蝶番Ｈ１及び他側の蝶番Ｈ２の各取付片ｈ１の取り付け側の面に、一対の軸受プレート２及び台座２２を有する軸受・台座ブロック２Ａと、一対のフック３と、ばね部材５と、解除レバー取付部７１、工具係合部７２を有するシャフト７と、解除レバー７３とからなる取付フックＦを備える。このようにして、扉、取付開口枠において一側の蝶番Ｈ１、他側の蝶番Ｈ２の各取付片ｈ１の各取付位置に、取付フックＦの一対の軸受プレート２を嵌挿可能に取付孔を設け、一側の蝶番Ｈ１、他側の蝶番Ｈ２の各取付片ｈ１をそれぞれ、取付フックＦの一対の軸受プレート２を各フック３とともに取付孔にワンプッシュで通し、各フック３を取付孔の縁部に係止することにより、扉、取付開口枠に取り付けるようにしたので、一側の蝶番Ｈ１及び他側の蝶番Ｈ２の各取付片ｈ１をその取付位置にワンタッチで簡易に取り付けることができ、取付時間の短縮を図ることができる。また、工具係合部７２の回転操作により各フック３の係止爪３１と取付孔の縁部との係合を解除するようにしたので、この蝶番Ｈ１、Ｈ２を扉、取付開口枠から取り外す場合に、この蝶番Ｈ１、Ｈ２を扉、取付開口枠から簡単に取り外すことができる。
【００６７】
さらに、この平蝶番Ｈはさらに次のような利点を有する。
（１）各フック３の回動中心が一端縁部３０１側に設けられ、各フック３の他端縁部３０２は円の中心を各フック３の回動中心よりも各フック３の一端縁部３０１に近くかつ外面部３０３とは反対側の内面部３０４寄りの位置におく円弧状に形成されることで、この平蝶番Ｈを扉、取付開口枠の取付孔に通しワンプッシュした後の各フック３は、係止爪３１の外側への回動とともにこの係止爪３１の円弧状の部分が取付孔の縁部に向けて迫り出し、この円弧状の部分を取付孔の縁部に食い付かせることができる。これにより、軸受・台座ブロック２Ａを取付孔で扉、取付開口枠の外側から内側に引き寄せ、取付片ｈ１の取り付け側の面のフランジ１１を扉、取付開口枠の外側の面側で取付孔の周縁部の周辺に圧接して、扉、取付開口枠の板を取付片ｈ１と一対のフック３との間で締め付けることができ、扉、取付開口枠の板厚に多少のバラつきがあっても、平蝶番Ｈを扉、取付開口枠にガタツクことなく確実に取り付けることができる。
（２）各フック３の外面部３０３は各軸受プレート２の両側各側縁部２０３、２０４と平行に形成され、各フック３の一端縁部３０１は外面部３０３側よりも内面部３０４側が突出されて略刀の刃先状に斜めに形成され、各フック３の内面部３０４は外面部３０３と略平行に形成されることで、各フック３を角形の一対の軸受プレート２間に各係止爪３１のみが各軸受プレート２の両側各側縁部２０３間、２０４間から出没可能に配置することができる。
（３）各フック３の内面部３０４に筒状の溝３３が形成され、各フック３の内面部３０４が対向される台座２２の各側面に筒状の孔２２３が形成されて、ばね部材としてコイルスプリング５が採用され、各コイルスプリング５は一端が各フック３の各溝３３に保持され、他端が台座２２の各孔２２３に保持されて、各フック３と台座２２との間に介装されるので、各フック３を簡単な構造で各軸受プレート２の両側各側縁部２０３、２０４方向に確実に回動付勢することができる。
この場合、軸受・台座ブロック２Ａが各フック３とともに扉、取付開口枠の各取付孔に通される前又は後、各フック３の係止爪３１が軸受・台座ブロック２Ａの各軸受プレート２の両側各側縁部２０３間、２０４間から突出されたときに、コイルスプリング５が取付片ｈ１側に凸の円弧状に変形可能に、かつ軸受・台座ブロック２Ａが各フック３とともに扉、取付開口枠の各取付孔に通され各フック３の係止爪３１が各軸受プレート２の両側各側縁部２０３間、２０４間に没入されたときに、コイルスプリング５を取付片ｈ１とは反対側に凸の円弧状に変形可能に、各フック３の溝３３は、各フック３の内面部３０４から各フック３の他端縁部３０２側方向斜めに所定の角度を付けて形成され、かつ各溝３３のフック３の他端縁部３０２側及び／又は一端縁部３０１側の内周面の一部３３１が、溝３３の奥側から開口側に向けて漸次拡径される所定の角度の傾斜を付けて形成されるので、コイルスプリング５の伸縮変形を良好にし、各フック３の係止爪３１を各軸受プレート２の両側各側縁部２０３間、２０４間から確実かつ円滑に出没させることができる。
（４）シャフト７の工具係合部７２は円板状に形成され、その表面にマイナスドライバー又は硬貨が係合可能に一文字状の溝７２１を有するので、この平蝶番Ｈを扉、取付開口枠から取り外す場合で、扉、取付開口枠の内側の面側で各フック３の各係止爪３１と取付孔の縁部との係合位置に手が入らず、各フック３を直接手で押し込むことができないような場合でも、この平蝶番Ｈを、工具がない場合でも、硬貨を使って、扉、取付開口枠から簡単に取り外すことができる。
（５）解除レバー７３は各フック３に係合される両側面７３１の両端側が両端方向に漸次先細のテーパ状を呈する略舟形のブロック状に形成されるので、台座２２の突出端面２２１で解除レバー７３が旋回されると、解除レバー７３の両側面７３１が各フック３の内面部３０４に対して円滑に係合して各フック３を円滑に回動させることができる。
この場合、解除レバー７３は台座２２の突出端面２２１に対向する面の両端側が両端方向に台座２２の突出端面２２１に対して漸次離間する傾斜状に形成されるので、解除レバー７３の回転時に解除レバー７３の回転中心に近い位置での解除レバー７３と軸受・台座ブロック２Ａとの接触抵抗が小さくなり、解除レバー７３を旋回しやすくすることができる。
（６）取付片ｈ１は扉、取付開口枠の各取付孔よりも大きい角形のプレートからなり、軸受・台座ブロック２Ａの一対の軸受プレート２はそれぞれ、扉、取付開口枠の各取付孔に嵌挿可能な大きさで、当該各取付孔を通り抜け可能に所定の長さを有する角形に形成されて、扉、取付開口枠の各取付孔は角形に開口されるので、扉、取付開口枠の各取付孔を単純な形状にし、孔明けに要するコストを低く抑えることができる。
（７）一対のフック３は各一対の軸受プレート２間に各軸受プレート２間の台座２２を対称中心として対称的に配置され、各軸受プレート２の突出端２０１側の各軸挿通部２０と各フックの軸挿通部３０とを合せて、これらの軸挿通部２０、３０にそれぞれ軸４が通されて、各軸受プレート２間に回動可能に支持されて、組み立てられる。この際に、各軸４の一端が他端よりも小径に形成され、各軸受プレート２の一方の軸挿通部３０が小径に形成され、その外面側にテーパ状の溝２００が形成されて、各軸４の一端が一方の軸挿通部３０に挿通され、テーパ状の溝２００内でカシメられて固定されるので、第１の実施の形態の場合に比べて、カシメ加工が半分になり、作業性を良好にすることができる。
（８）シャフト７の解除レバー取付部７１はシャフト７の一端に周方向に対向する外周面の一部が平行に断面直線状に形成され、残部が対称的に断面円弧状に形成され、解除レバー７３の背面側の取付ねじ挿通孔７３２の開口周囲に、シャフト７の一端の解除レバー取付部７１が嵌合可能に、取付ねじ挿通孔７３２の径よりも少し大きい円形を基本形とする凹部７３３が周方向に対向する内周縁部の一部を平行に断面直線状にして、残部を対称的に断面円弧状にして形成されて、かかる形状の解除レバー取付部７１が解除レバー７３の凹部７３３に嵌め込まれて、解除レバ７３ーを回り止めしたので、このシャフト７と解除レバー７３の回り止めの加工が２面で済み、作業性を良好にすることができる。
【００６８】
なお、この実施の形態では、ばね部材にコイルスプリング５が用いられ、コイルスプリング５が一対のフック３と台座２２との間に介装されるものとしたが、このばね部材にトーションスプリングや板ばねが用いられ、各フックと台座との間に介装されるものであってもよい。
このようにしても上記実施の形態と同様の作用効果を奏することができる。
【００６９】
また、この実施の形態では、取付フックＦの一対の軸受プレート２を各フック３とともに取付孔にワンプッシュで通し、各フック３を取付孔の縁部に弾性係止するものとしたが、取付フックの一対の軸受部を各フックとともに取付孔にワンプッシュで通し、各フックを取付孔の縁部周囲に弾性係止するようにしてもよい。このようにしても上記実施の形態と同様の作用効果を奏することができる。
【００７０】
さらに、この実施の形態では、平蝶番を扉、取付開口枠に取り付ける場合について例示したが、例えば蓋など扉以外の開閉部材を取付開口枠に取り付ける場合にも、同様に適用することができ、扉以外の取り付けにも広く使用することができる。
【００７１】
（第３の実施の形態）
図１１乃至図１５に第３の実施の形態を示している。
図１１、図１２に示すように、平蝶番Ｈは、一側の蝶番Ｈ１及び他側の蝶番Ｈ２の各取付片ｈ１の取り付け側の面に取付フックＦを備える。この取付フックＦは、一対の軸受プレート２及び台座２２を有する軸受・台座ブロック２Ａと、一対のフック３と、ばね部材５と、解除レバー取付部７１及び解除レバー回転操作部７２を有するシャフト７及びシャフトの解除ハンドル８と、解除レバー７３とからなる。
【００７２】
軸受・台座ブロック２Ａは、一対の軸受プレート２と、台座２２とからなる。一対の軸受プレート２は、取付片ｈ１の取り付け側の面に当該面の周縁部をフランジ１１として残して平行に突出され、その突出端２０１の中央部に溝２０２を有する。各軸受プレート２の両側でかつ突出端２０１側にそれぞれ、軸挿通部２０を有する。台座２２は、一対の軸受プレート２間の中央に取付片ｈ１の取り付け側の面から各軸受プレート２の溝２０２又はその近傍まで突出され、その突出端面２２１から取付片ｈ１まで貫通するシャフト挿通部２２０を有する。
【００７３】
この場合、軸受・台座ブロック２Ａは、一対の軸受プレート２がそれぞれ、取付片ｈ１の取り付け側の面に一体に、この面の全周縁をフランジ１１として残すように取付片ｈ１の各縦方向の縁部、各横方向の縁部よりも少し内側に入った位置に各縦方向の縁部と平行に、扉、取付開口枠の各取付孔に嵌挿可能な大きさで当該各取付孔を通り抜け可能に所定の長さを有する角形に、この場合は長方形状に、全体としてフラットなプレート状に形成される。
【００７４】
また、この場合、台座２２は、取付片ｈ１の取り付け側の面に、一対の軸受プレート２とともに一体に、一対の軸受プレート２間の中央に取付片ｈ１の取り付け側の面から各軸受プレート２の溝２０２又はその近傍まで角柱状に突出され、この台座２２の軸心上にシャフト挿通部２２０が突出端面２２１から取付片ｈ１まで貫通して円筒状に形成される。この場合、シャフト挿通部２２０の取付片ｈ１側の開口の周囲に、後述するシャフト７の解除レバー回転操作部７２が嵌合可能にシャフト挿通部２２０の径よりも大きい円形の凹部１０５が併せて形成される。またこの場合、台座２２の両側面２２２でその長手方向中間部に円筒状の孔２２３が後述するコイルスプリング５が嵌合可能に開口形成される。そして、各軸受プレート２の突出端２０１側で溝２０２の位置よりも取付片ｈ１側に寄った所定の位置にそれぞれ、軸４を挿通可能な軸挿通部２０が円形の孔として形成される。この場合、一方の軸挿通部２０は他方の軸挿通部２０よりも少し小さい径に形成され、その一方の軸受プレート２の外側（言い換えれば、外向き）の平面で一方の軸挿通部２０の全周縁部にテーパ状の凹部２００が併せて形成される。一方、各軸４は一端が他端よりも小径に形成され、一端が各軸受プレート２の一方の軸挿通部２０に通され、他端が各軸受プレート２の他方の軸挿通部２０に通され、一端がテーパ状の凹部２００内でカシメられて固定される。
【００７５】
かかる軸受・台座ブロック２Ａの形状により、扉、取付開口枠の各取付孔がそれぞれ一対の軸受プレート２が嵌挿可能に角形に、ここでは長方形状の単純な形状に開口される。この場合、各取付孔は縦方向の縁部の寸法が各軸受プレート２の縦方向の縁部の寸法と略同じかそれよりも僅かに大きく、横方向の縁部の寸法が各軸受プレート２の外側（外向き）の面間の寸法と略同じかそれよりも僅かに大きい開口になっている。
【００７６】
一対のフック３は、各々、軸受・台座ブロック２Ａの一対の軸受プレート２間で台座２２の両側に嵌合可能に略コマ状に形成され、一対の軸受プレート２間の台座２２の両側に一端縁部３０１を一対の軸受プレート２の突出端２０１側に向けて他端縁部３０２を取付片ｈ１側に向けて嵌合配置された状態での一対の軸受プレート２の両側各側縁部２０３間、２０４間から外側に表れる外面部３０３から他端縁部３０２にかけてに係止爪３１を有する。この一対のフック３は、一対の軸受プレート２間の台座２２の両側に対称的に嵌合配置され、一対の軸受プレート２の両側でかつ突出端２０１側の各軸挿通部２０間に挿着される一対の軸４を介して回動可能に支持されて、各係止爪３１を一対の軸受プレート２の両側各側縁部２０３間、２０４間から出没可能に配置される。
【００７７】
この場合、一対のフック３はそれぞれ、一対の軸受プレート２内に配置可能な大きさで、台座２２を対称中心として対称的なコマ形状になっている。図１３に示すように、これらのフック３の回動中心はそれぞれ、フック３の一端縁部３０１、他端縁部３０２間の中間部で一端縁部３０１寄りに設けられ、そこに軸４を挿通可能に軸挿通部３０が形成される。取付片ｈ１側に対応する各フック３の他端縁部３０２は円の中心を各フック３の回動中心よりも各フック３の一端縁部３０１に近くかつ外面部３０３とは反対側の内面部３０４寄りの位置におく円弧状に形成される。
【００７８】
また、各フック３の外面部３０３は各軸受プレート２の両側各側縁部２０３、２０４と平行に断面直線状のフラットな面として形成され、各フック３の一端縁部３０１は外面部３０３側よりも内面部３０４側が突出されて断面略刀の刃先状に斜めに形成され、各フック３の内面部３０４は一端側が外面部３０３と略平行に形成され、中間部が内面部３０４の一端側とともに略くの字形を呈して外面部３０３に対して離れる方向に斜めに形成され、他端側が外面部３０３と断面略平行に形成される。各フック３の内面部３０４には後述するばね部材５としてのコイルスプリングの一端を保持可能に円筒状の溝３３が形成される。
【００７９】
ばね部材５は、一対のフック３と台座２２との間に介装され、各フック３を常態として一対の軸受プレート２の両側各側縁部２０３間、２０４間から突出可能に回動付勢する。
【００８０】
この場合、ばね部材５は、コイルスプリングが採用され（以下、コイルスプリング５という。）、コイルスプリング５は一端が各フック３の各溝３３に保持され、他端が台座２２の孔２２３を通してシャフト７に圧接されて、各フック３と台座２２との間に介装される。ばね部材にコイルスプリング５が用いられたことで、各フック３の各溝３３は、この平蝶番Ｈが扉、取付開口枠の各取付孔に取り付けられる際に、軸受・台座ブロック２Ａが各フック３とともに当該取付孔に通される前又は後、各フック３の各係止爪３１が軸受・台座ブロック２Ａの各軸受プレート２の両側各側縁部２０３間、２０４間から突出されたときに、コイルスプリング５が取付片ｈ１側に凸の円弧状に変形可能に、かつ軸受・台座ブロック２Ａが各フック３とともに当該各取付孔に通されて、各フック３の係止爪３１が各軸受プレート２の両側各側縁部２０３間、２０４間に没入されたときに、コイルスプリング５を取付片ｈ１とは反対側に凸の円弧状に変形可能に、各フック３の内面部３０４から各フック３の他端縁部３０２側方向斜めに所定の角度を付けて形成され、かつ各溝３３の各フック３の他端縁部３０２側及び／又は一端縁部３０１側の内周面の一部３３１が、溝３３の奥側から開口側に向けて漸次拡径される所定の角度の傾斜を付けて形成される。
【００８１】
シャフト７は、軸受・台座ブロック２Ａの台座２２のシャフト挿通部２２０に挿通され、一端に台座２２の突出端面２２１から突出される解除レバー取付部７１を有し、他端に取付片ｈ１に開口されるシャフト挿通部２２０の周囲に回転可能に配置される解除レバー回転操作部７２を有し、解除レバー回転操作部７２に係止溝７２０と係止爪８３２の弾性係合によるロック形式で着脱可能に連結される解除ハンドル８が設けられる。
【００８２】
この場合、シャフト７は、台座２２のシャフト挿通部２２０に挿通可能にシャフト挿通部２２０の内径と略同径の円筒状に形成される。また、シャフト７の外周面には、周方向所定の対称位置にそれぞれ、各コイルスプリング５の他端が嵌合可能に溝形の受部７０１（図１４（１）参照）が形成され、各コイルスプリング５の他端は台座２２の孔２２３を通してシャフト７の各受部７０１に保持される。この場合、各受部７０１はコイルスプリング５の径と略同じ内径の溝として形成される。
【００８３】
解除レバー取付部７１はシャフト７の一端に周方向に対向する外周縁部の一部が平行に断面直線状に形成され、残部が対称的に断面円弧状に形成され、その一端面から軸心上にねじ孔７１０（図１４（１）参照）が切られる。
【００８４】
解除レバー回転操作部７２は、シャフト７の他端に円板状に形成され、その周縁部で相互に対向する位置にそれぞれ係止溝７２０を有する。この場合、解除レバー回転操作部７２はシャフト７の断面よりも大きい円形のプレート状に形成される。各係止溝７２０は、解除レバー回転操作部７２の周縁部において相互に対向する位置に、解除レバー回転操作部７２の外向きの面側の半部にシャフト７の軸心と平行に形成される挿入溝と、解除レバー回転操作部７２の内向きの面側の半部に挿入溝の奥側に連続して挿入溝に対してシャフト７の軸心方向に向けて直角に延びる係合溝とからなる。
【００８５】
解除ハンドル８は、シャフト７とは別体に形成され、ベースプレート８１と、一対の支持プレート８２と、一対の操作レバー８３と、ばね部材８４とを有する。
【００８６】
ベースプレート８１は円板状に形成される。この場合、ベースプレレート８１は解除レバー回転操作部７２よりも少し大きい円形のプレート状に形成される。
【００８７】
一対の支持プレート８２はベースプレート８１の一方の面の両側から平行に延びる。この場合、一対の支持プレート８２はそれぞれ、長さが台座２２と略同じ所定の寸法で、幅が解除レバー回転操作部７２の直径よりも少し小さい所定の寸法の矩形のプレート状に形成され、ベースプレート８１の一方の面内で中心から径方向に同じ所定の寸法だけ離れた両側に当該一方の面に対して直角に形成される。また、この場合、一対の支持プレート８２の幅方向中央に各支持プレート間を連結して各支持プレート間を２つの空間に分ける中央プレート８２１を有する。この中央プレート８２１はベースプレート８１の一方の面から延び、その延びる方向中間部、この場合、その延びる方向中央に２つの空間を連通する孔８２２が形成される。また、この中央プレート８２１の両側面で中央の孔８２２の先端側の面にそれぞれ断面円弧状の凹溝８２３が形成される。これら凹溝８２３の円弧の中心に対応する各支持プレート８２の先端側の所定の位置に回動軸挿通部（図示省略）が併せて形成される。
【００８８】
一対の操作レバー８３は各々、本体部８３１が各支持プレート８２間に各支持プレート８２の一方の側部側と他方の側部側に対称的に配置可能にコマ状に形成されて、各本体部８３１の一端に各支持プレート８２の各先端間から突出されて解除レバー回転操作部７２の各係止溝７２０に係脱可能な一対の係止爪８３２を有し、各本体部８３１が、各支持プレート８２間で各支持プレート８２の先端側に、回動軸８３３を介して、各本体部８３１の回動により、各係止爪８３２が回動され、解除レバー回転操作部７２の各係止溝７２０に係脱可能に、かつ各本体部８３１の各支持プレート８２の両側各側部間から外側に表れる外面部８３１ａと各本体部８３１の他端８３１ｂとに取り囲まれる各本体部８３１の一部８３１ｃ又はその一部が各支持プレート８２の両側各側部間から出没可能に取り付けられる。この場合、各操作レバー８３は本体部８３１が各支持プレート８２間の２つの空間に配置可能に各空間の長さと略同じで各空間の幅よりも少し大きい各支持プレート８２の延びる方向に長い略台形のプレート状に形成され、各々、内側の側面の先端側で中央プレート８２１の凹溝８２３に対応する部分に当該凹溝８２３に嵌合可能に円弧状の凸状部８３１ｅが形成される。各本体部８３１においてこの円弧の中心となる位置に回転軸挿通部８３１ｆが設けられる。また、各本体部８３１には、各凸状部８３１ｅの後端側（この場合、内側の側面の長さ方向略中央）にコイルスプリング８４の受部８３１ｇが併せて設けられる。各係止爪８３２は各本体部８３１の先端で外側の側面側から、解除レバー回転操作部７２の各係合溝の挿入溝に挿入可能でかつ係合溝に係合可能に、本体部８３１に内側方向に略Ｌ字形に延びるフック形状に形成される。
【００８９】
ばね部材８４は、各操作レバー８３間に介装され、常態として各係止爪８３２を各係止溝７２０の各係合溝に対して係合可能にかつ各操作レバー８３の各本体部８３１の一部を常態として各支持プレート８２の両側各側部間から突出可能に回動付勢する。この場合、ばね部材８４はコイルスプリングが採用される（以下、コイルスプリング８４という。）。コイルスプリング８４は一対の支持プレート８２間の中央プレート８２１の孔８２２に通されて、一端が一方の操作レバー８３の受部８３１ｇに保持され、他端が他方の操作レバー８３の受部８３１ｇに保持されて、各操作レバー８３間に介装される。
【００９０】
このようにして解除ハンドル８は、一対の操作レバー８３が一対の支持プレート８２間に各支持プレート８２間の中央プレート８２１を対称中心として対称的に配置され、各支持プレート８２先端側、各本体部８３１の先端側の各回動軸挿通部に回転軸８３３が挿通されて、各支持プレート８２間に回動可能に組み立てられ、コイルスプリング８４が中央プレート８２１の孔８２２に通され、各操作レバー８３の受部８３１ｇ間に介装されて、各操作レバー８３が外側方向に回動付勢され、常態として各操作レバー８３の一部８３１ｃが各支持プレート８２の両側各側部間から外側に突出される。かかる構成により、各支持プレート８２の各側部間から外側に突出される各操作レバー８３の本体部８３１を手の指で各支持プレート８２間の中央プレート８２１に向けて押操作することにより、各操作レバー８３の各係止爪８３２が解除レバー回転操作部７２の各挿入溝に対して挿入可能に外側に向けて回動され、各操作レバー８３の押操作を解除することにより、各係止爪８３２が解除レバー回転操作部７２の各挿入溝に挿入後の各係合溝に係合可能に内側に向けて回動付勢される。
【００９１】
解除レバー７３は、シャフト７の解除レバー取付部７１にシャフト７と一体回転可能に固定されて、台座２２の突出端面２２１で一対の軸受プレート２の各溝２０２間に一対のフック３の一端間に係合可能に配置され、解除レバー回転操作部７２の回転操作により、台座２２の突出端面２２１で旋回されて各フック３の一端間を押し広げ、各フック３の係止爪３１を各一対の軸受プレート２の両側各側縁部２０３間、２０４間に没入させる。
【００９２】
この場合、解除レバー７３は、各フック３に係合される両側面の両端側が両端方向に漸次先細のテーパ状を呈する略舟形（略ボート形）のブロック状に形成され、解除レバー７３の台座２２の突出端面２２１に対向する面（背面）の両端側が両端方向に台座２２の突出端面２２１に対して漸次離間する傾斜状に形成される。この場合、解除レバー７３の各フック３に係合される両側面両端側のテーパ形状はこの両側面の両端が各フック３の内面部３０４に対して円滑に係合可能な程度にテーパ形状であればよく、解除レバー７３の台座２２の突出端面２２１に対向する面（背面）の両端側の傾斜形状は、解除レバー７３が台座２２の突出端面２２１に対して円滑に旋回（回転）可能な程度に傾斜形状であればよい。このようにして台座２２の突出端面２２１において（言い換えれば、解除レバー７３の回転中心に近い位置において）解除レバー７３の旋回（回り）を円滑にする。また、解除レバー７３の正面の中心から背面の中心と間に取付ねじ挿通孔が穿設され、背面側の取付ねじ挿通孔の開口周囲に、凹部が、シャフト７の一端の解除レバー取付部７１を嵌合可能に、取付ねじ挿通孔の径よりも少し大きい円形を基本形とし、周方向に対向する内周縁部の一部を平行に断面直線状にして、残部を対称的に断面円弧状にして形成される。
【００９３】
取付フックＦは、各部がかかる構成を有し、一対のフック３が各一対の軸受プレート２間に各軸受プレート２間の台座２２を対称中心として対称的に配置され、各軸受プレート２の突出端２０１側の各軸挿通部２０と各フックの軸挿通部３０とを合せて、これらの軸挿通部２０、３０にそれぞれ軸４が通されて、各軸受プレート２間に回動可能に支持されて、組み立てられる。なお、この場合、各軸４は一端が、既述のとおり、各軸受プレート２の一方のテーパ状の溝２００内でカシメられて固定される。
また、台座２２のシャフト挿通部２２０に取付片ｈ１側の開口から、シャフト７が一端の解除レバー取付部７１から通されて、一端の解除レバー取付部７１が台座２２の突出端面２２１から突出され、シャフト７の他端の解除レバー回転操作部７２が取付片ｈ１側の開口周囲の凹部１０５に嵌合されて、シャフト７が台座２２のシャフト挿通部２２０に回転可能に挿着される。このとき、各フック３と台座２２の孔２２３を通してシャフト７の各受部７０１との間にコイルスプリング５が介装されることで、シャフト７は仮止めされ、台座２２から抜け外れることがない。そして、台座２２の突出端面２２１から突出されるシャフト７の解除レバー取付部７１が解除レバー７３の背面側から凹部に嵌め込まれ、解除レバー７３の正面側から取付ねじ挿通孔に取付ねじ７３４が通されてシャフト７の一端のねじ孔７１０に締結されることにより、シャフト７に解除レバー７３が一体的に取り付けられる。
【００９４】
このようにして平蝶番Ｈは、扉、取付開口枠において一側の蝶番Ｈ１、他側の蝶番Ｈ２の各取付片ｈ１の各取付位置に、取付フックＦの一対の軸受プレート２を嵌挿可能に取付孔を設け、一側の蝶番Ｈ１、他側の蝶番Ｈ２の各取付片ｈ１を、取付フックＦの一対の軸受プレート２を各フック３とともに取付孔にワンプッシュで通し、各フック３を取付孔の縁部に係止することにより、扉、取付開口枠に取り付けるようになっている。そして、解除レバー回転操作部７２に解除ハンドル８を係止溝７２０と係止爪８３２の弾性係合により連結ロックして、解除レバー回転操作部７２を解除ハンドル８により回転操作することにより各フック３の各係止爪８３２と取付孔の縁部との係合を解除するようになっている。
【００９５】
図１４に平蝶番Ｈの一側の蝶番Ｈ１、他側の蝶番Ｈ２を扉、取付開口枠の各取付位置に取り付ける場合を例示し、図１５に一側の蝶番Ｈ１、他側の蝶番Ｈ２を扉、取付開口枠の各取付位置から取り外す場合を例示している。
この平蝶番Ｈの取り付けに当たって、まず、図１４に示すように、扉、取付開口枠の各取付位置に、取付孔Ｆ０を、取付フックＦの一対の軸受プレート２を嵌挿可能に、縦方向の寸法が各軸受部プレート２の縦方向の縁部の寸法と略同じかそれよりも僅かに大きく、横方向の寸法が各軸受プレート２の外側（外向き）の面間の寸法と略同じかそれよりも僅かに大きい縦長の長方形状に開ける。
【００９６】
そして、平蝶番Ｈをこの取付孔Ｆ０に取り付ける。なお、平蝶番Ｈの使用前の通常の状態は、一側の蝶番Ｈ１、他側の蝶番Ｈ２いずれも、一対の軸受プレート２の間で一対のフック３が各フック３と台座２２との間のコイルスプリング５により各軸受プレート２の両側各側縁部２０３、２０４方向に押圧付勢されて、各フック３の外面部３０３から他端縁部３０２の一部、すなわち、係止爪３１が各軸受プレート２の両側各側縁部２０３間、２０４間から外側に突出される。
【００９７】
まず、一側の蝶番Ｈ１を扉の一側部に設けた取付孔Ｆ０に取り付ける。この場合、取付フックＦを取付孔Ｆ０の向きに合せ、この場合は、縦向きの取付孔Ｆ０に合わせて縦向きにして、軸受・台座ブロック２Ａを各フック３とともに取付孔Ｆ０に差し込み押し込む（ワンプッシュする）。
【００９８】
このようにすると、取付フックＦは軸受・台座ブロック２Ａが、各軸受プレート２の両側各側縁部２０３、２０４及び各外側（外向き）の平面が先端から中間へ、中間から基端へ取付孔Ｆ０の横方向及び縦方向の各縁部を摺動しつつ、取付孔Ｆ０に通される。この間、各軸受プレート２の両側各側縁部２０３間、２０４間から外側に突出される各フック３の各係止爪３１は取付孔Ｆ０の各横方向の縁部に接触して押圧され、各係止爪３１が各フック３と台座２２との間のコイルスプリング５の付勢力に抗して（コイルスプリング５を圧縮しながら）各軸受プレート２間に向けて回動し各軸受プレート２の両側各側縁部２０３間、２０４間に没入される。そして、軸受・台座ブロック２Ａが取付孔Ｆ０に完全に通されると、取付片ｈ１は取り付け側の面の全周縁部のフランジ１１が扉の外側の面で取付孔Ｆ０の全周縁部の周辺に当接し、各軸受プレート２間内の各フック３は各フック３と台座２２との間のコイルスプリング５の付勢力（コイルスプリング５の弾性復帰）により各係止爪３１が各軸受プレート２間から各軸受プレート２の両側各側縁部２０３、２０４方向に回動し、各軸受プレート２の両側各側縁部２０３間、２０４間から外側に突出されて、扉の内側の面で取付孔６２の各横方向の縁部に弾性係止される。ここで、この取付フックＦは、図１３に示したように、各フック３の回動中心が各フック３の一端縁部３０１側に設けられ、各フック３の他端縁部３０２が円の中心を各フック３の回動中心よりも各フック３の一端縁部３０１に近く内面部３０４寄りの位置におく円弧状に形成されたことで、各フック３は、各係止爪３１の外側への回動とともに各係止爪３１の円弧状の部分が扉の内側の面側で取付孔Ｆ０の各横方向の縁部に向けて迫り出し、この円弧状の部分が取付孔６２の各縁部に食い込んでいく。これにより、軸受・台座ブロック２Ａは、取付孔Ｆ０で扉の外側から内側へ引き寄せられ、取付片ｈ１の取り付け側の面のフランジ１１が扉の外側の面側で取付孔Ｆ０の全周縁部の周辺に圧接し、扉の板が取付片ｈ１と一対のフック３との間で締め付けられて、一側の蝶番Ｈ１が扉に強固に固定される。
【００９９】
続いて、他側の蝶番Ｈ２を取付開口枠に扉と同様に設けた取付孔に、一側の蝶番Ｈ１と同様に取り付ける。この場合も、他側の蝶番Ｈ２の取付フックＦの各部が、一側の蝶番Ｈ１の取付フックＦの各部と同様に作用する。
【０１００】
そして、一側、他側の各蝶番Ｈ１、Ｈ２の筒状軸受部ｈ２を上下に同芯的に配置して、軸ｈ３を上下部の各筒状軸受部ｈ２に通し、一側の蝶番Ｈ１と他側の蝶番Ｈ２とを枢着連結する。上部の筒状軸受部ｈ２の上端部、下部の筒状軸受部ｈ２の下端部には、軸受部キャップが嵌め込まれる。
【０１０１】
このようにして一側、他側の各蝶番Ｈ１、Ｈ２が扉、取付開口枠の一側部に取り付けられた後、これらの一側部から各蝶番Ｈ１、Ｈ２を取り外す場合は、一方の手で扉、取付開口枠の外側の面側の取付片ｈ１を掴み、他方の手で扉、取付開口枠の内側の面側で各フック３を各軸受プレート２間に押し込みながら、片側一方の手で取付片ｈ１を引いて蝶番Ｈ１、Ｈ２を引き抜けばよい。この引き抜きにより、各蝶番Ｈ１、Ｈ２は使用前の通常の状態に戻される。
【０１０２】
また、一側、他側の各蝶番Ｈ１、Ｈ２を扉、取付開口枠の一側部から取り外す場合で、各フック３の係止爪３１と取付孔Ｆ０の縁部との係合位置に手が入らないなど、各フック３を直接手で押し込むことができない場合は、図１５に示すように、解除ハンドル８を使って、蝶番Ｈ１、Ｈ２を取付孔Ｆ０から簡単に取り外すことができる。
【０１０３】
図１５（１）、（２）に示すように、まず、解除ハンドル８を手に持ち、この解除ハンドル８の各操作レバー８３を押操作して一対の係止爪８３２を外側に開き、これらの係止爪８３２を取付片ｈ１の凹部１０５内に嵌め込まれている解除レバー回転操作部７２の各係止溝７２０の各挿入溝に差し込む。そして、各操作レバー８３の押操作を解除すると、各係止爪８３２はコイルスプリング８４の付勢力により閉じ各係合溝に係止される。これにより解除ハンドル８は解除レバー回転操作部７２に連結ロックされる。
【０１０４】
この状態から、図１５（３）に示すように、解除ハンドル８を時計回り方向に９０°回す。この解除ハンドル８を９０°回すことで、シャフト７が回転し、一対のフック３の一端間で解除レバー７３が旋回（回転）する。また、シャフト７の回転により、各コイルスプリング５とシャフト７の各受部７０１との係合が外れて、各コイルスプリング５がシャフト７の各受部７０１間を摺動する。そして、解除ハンドル８の各係止爪８３２が解除レバー回転操作部７２の各係止溝７２０内で各係止溝７２０の縁部と取付片ｈ１の凹部１０５の内周縁部との間に挟持されて、解除ハンドル８が解除レバー回転操作部７２から外れない状態となる。この解除レバー７３の旋回により、解除レバー７３は両側面両端側のテーパ形状の係合案内により各フック３の内面部３０４が押圧されて各フック３の一端間が開く方向に回動され、また、解除レバー７３の背面の両端側の傾斜形状により解除レバー７３の回転中心に近い位置で解除レバー７３が円滑に回転される。この解除レバー７３の回転により、各フック３の一端間が開いていくことで、各フック３の各係止爪３１が取付孔Ｆ０の縁部から外れ、各軸受プレート２間に没入される。
【０１０５】
このようにして解除ハンドル８で解除レバー回転操作部７２を９０°回すと、解除レバー７３はその両端で各フック３の内面部３０４を押圧して各フック３の一端間を最大限に開き、各フック３の各係止爪３１が各軸受２３間に完全に没入される。すなわち、各フックと取付孔Ｆ０の縁部との係合は完全に解除され、蝶番Ｈ１、Ｈ２は取付孔Ｆ０から取り外し可能となる。この状態から、図１５（４）に示すように、片側一方の手で解除ハンドル８を引けば、この解除ハンドル８に連結された蝶番Ｈ１、Ｈ２が取付孔Ｆ０から引き抜かれる。蝶番Ｈ１、Ｈ２を取付孔Ｆ０から引き抜いた後、この解除ハンドル８で解除レバー回転操作部７２を反時計回り方向に９０°回転させて元の位置に回す（戻す）と、シャフト７が元の位置まで回転されて、解除レバー７３が戻り、各フック３の一端間が閉じて各フック３の各係止爪３１が各軸受２３から突出され、各コイルスプリング５とシャフト７の各受部７０１が係合される。これらの状態は、各コイルスプリング５とシャフト７の各受部７０１との係合による手応えによって即時に分かる。
【０１０６】
以上説明したように、この平蝶番Ｈは、一側の蝶番Ｈ１及び他側の蝶番Ｈ２の各取付片ｈ１の取り付け側の面に、一対の軸受プレート２及び台座２２を有する軸受・台座ブロック２Ａと、一対のフック３と、ばね部材５と、解除レバー取付部７１、解除レバー回転操作部７２及び解除ハンドル８を有するシャフト７と、解除レバー８３とからなる取付フックＦを備える。このようにして、扉、取付開口枠において一側の蝶番Ｈ１、他側の蝶番Ｈ２の各取付片ｈ１の各取付位置に、取付フックＦの一対の軸受プレート２を嵌挿可能に取付孔を設け、一側の蝶番Ｈ１、他側の蝶番Ｈ２の各取付片ｈ１をそれぞれ、取付フックＦの一対の軸受プレート２を各フック３とともに取付孔にワンプッシュで通し、各フック３を取付孔の縁部に係止することにより、扉、取付開口枠に取り付けるようにしたので、一側の蝶番Ｈ１及び他側の蝶番Ｈ２の各取付片ｈ１をその取付位置にワンタッチで簡易に取り付けることができ、取付時間の短縮を図ることができる。また、シャフト７の解除レバー回転操作部７２に解除ハンドル８を連結ロックして、解除レバー回転操作部７２を解除ハンドル８により回転操作することにより各フック３の各係止爪３１と取付孔の縁部との係合を解除するようにしたので、この平蝶番Ｈを取付孔から取り外す場合に、この平蝶番Ｈを取付孔から簡単に取り外すことができる。
【０１０７】
さらに、この平蝶番Ｈはさらに次のような利点を有する。
【０１０８】
各フック３の回動中心がフック３の一端縁部３０１、他端縁部３０２間の中間部で一端縁部３０１寄りに設けられ、各フック３の他端縁部３０２は円の中心を各フック３の回動中心よりも各フック３の一端縁部３０１に近くかつ外面部３０３とは反対側の内面部３０４寄りの位置におく円弧状に形成されることで、各蝶番Ｈ１、Ｈ２の取付フックＦを取付孔に通しワンプッシュした後の各フック３はを、係止爪３１の外側への回動とともにこの係止爪３１の円弧状の部分が取付孔の縁部に向けて迫り出し、この係止爪３１を取付孔の縁部に食い付かせることができる。これにより、軸受・台座ブロック２Ａを取付孔で扉、取付開口枠の外側から内側へ引き寄せ、取付片ｈ１の取り付け側の面のフランジ１１を扉、取付開口枠の外側の面で取付孔の周縁部の周辺に圧接して、扉、取付開口枠の板を取付片ｈ１と一対のフック３との間で締め付けることができ、扉、取付開口枠の板厚に多少のバラつきがあっても、扉、取付開口枠に蝶番Ｈ１、Ｈ２をガタツクことなく確実に取り付けることができる。
【０１０９】
各フック３の外面部３０３は各軸受プレート２の両側各側縁部２０３、２０４と平行に形成され、各フック３の一端縁部３０１は外面部３０３側よりも内面部３０４側が突出されて略刀の刃先状に斜めに形成され、各フック３の内面部３０４は一端側が外面部３０３と略平行に形成され、中間部が内面部３０４の一端側とともに略くの字形を呈して外面部３０３に対して離れる方向に斜めに形成され、他端側が外面部３０３と略平行に形成されることで、各フック３を角形の一対の軸受プレート２間に各係止爪３１のみが各軸受プレート２の両側各側縁部２０３間、２０４間から出没可能に配置することができる。
【０１１０】
各フック３の内面部３０４に筒状の溝３３が形成され、各フック３の内面部３０４が対向される台座２２の各側面２２２に筒状の孔２２３が形成されて、ばね部材としてコイルスプリング５が採用され、コイルスプリング５は一端が各フック３の各溝３３に保持され、他端が台座２２の各孔２２３を通してシャフト７に圧接されて、各フック３と台座２２との間に介装されるようにしたことで、各フック３を簡単な構造で各軸受プレート２の両側各側縁部２０３、２０４方向に確実に回動付勢することができる。
【０１１１】
この場合、シャフト７の外周面に周方向対称位置に各コイルスプリング５の他端が嵌合可能に溝形の受部７０１が形成され、各コイルスプリング５の他端は台座２２の孔２２３を通してシャフト７の各受部７０１に保持されるので、次のような多くの利点を有する。
【０１１２】
すなわち、各コイルスプリング５の他端は台座２２の孔２２３を通してシャフト７の各受部７０１に保持されるので、各コイルスプリング５の巻数を台座２２の各側面２２２からシャフト７の各受部７０１までの距離だけ多くしてばね力を高めることができ、これにより、各フック３を各係止爪３１が各軸受プレート２間から有効に突出可能に確実に回動付勢することができる。また、各コイルスプリング５の他端は台座２２の孔２２３を通してシャフト７の各受部７０１内でシャフト７を押圧するので、例えばシャフト７の解除レバー回転操作部７２の各係止溝７２０が縦向きの状態で、各コイルスプリング５とシャフトの各受部７０１が係合するようにしておくことにより、解除レバー７３を回転させて各フック３を各軸受プレート２間に没入させるときに、解除レバー回転操作部７２の各係止溝７２０に解除ハンドル８の各係止爪８３２を係合させてシャフト７を回すと、各コイルスプリング５とシャフト７の各受部７０１との係合が外れて各コイルスプリング５はシャフト７の各受部７０１間を摺動し、そして、解除レバー７３を戻して各フック３を各軸受プレート２間から突出させるために、解除ハンドル８でシャフト７を戻す方向に回すと、各コイルスプリング５とシャフト７の各受部７０１が係合し、この手応えにより、解除レバー回転操作部７２が元の位置、つまり、各係止溝７２０が縦向きの状態に戻ったことが即時に分かり、シャフト７の解除レバー回転操作部７２による解除レバー７３の回転（旋回）操作がしやすい。さらに、軸受・台座ブロック２Ａとシャフト７及び解除レバー７３の組み立ての際に、台座２２のシャフト挿通部２２０にシャフト７を挿通すれば、シャフト７の外周面が各コイルスプリング５に押圧されて、シャフト７は仮止め（仮抜け止め）されるので、シャフト７の解除レバー取付部７１に解除レバー７３を容易に配置でき、シャフト７の先端に取付ねじ７３４を容易に締め込むことができ、解除レバー７３の組み立て作業を簡易に行うことができる。また、この場合、軸受・台座ブロック２Ａが各フック３とともに各取付孔に通される前又は後、各フック３の係止爪３１が軸受・台座ブロック２Ａの各軸受プレート２の両側各側縁部２０３間、２０４間から突出されたときに、コイルスプリング５が取付片ｈ１側に凸の円弧状に変形可能に、かつ軸受・台座ブロック２Ａが各フック３とともに取付孔に通され各フック３の係止爪３１が各軸受プレート２の両側各側縁部２０３間、２０４間に没入されたときに、コイルスプリング５を取付プレート１とは反対側に凸の円弧状に変形可能に、各フック３の溝３３は、各フック３の内面部３０４から各フック３の他端縁部３０２側方向斜めに所定の角度を付けて形成され、かつ各溝３３のフック３の他端縁部３０２側及び／又は一端縁部３０１側の内周面の一部３３１が、溝３３の奥側から開口側に向けて漸次拡径される所定の角度の傾斜を付けて形成されるので、コイルスプリング５の伸縮変形を良好にし、各フック３の係止爪３１を各軸受プレート２の両側各側縁部２０３間、２０４間から確実かつ円滑に出没させることができる。
【０１１３】
シャフト７の解除レバー回転操作部７２は、円板状に形成され、その周縁部で相互に対向する位置にそれぞれ係止溝７２０が設けられる。解除ハンドル８は、ベースプレート８１と、一対の支持プレート８２と、一対の操作レバー８３とを有する。ベースプレート８１は円板状に形成され、ベースプレート８１の一方の面の両側から一対の支持プレート８２が平行に延ばされる。一対の操作レバー８３は各々、各本体部８３１が各支持プレート８２間に各支持プレート８２の一方の側部側と他方の側部側に対称的に配置可能にコマ状に形成されて、各本体部８３１の一端に各支持プレート８２の各先端間から突出されて解除レバー回転操作部７２の各係止溝７２１に係脱可能な一対の係止爪８３２が設けられる。各本体部８３１が各支持プレート８２間で各支持プレート８２の先端側に、回動軸８３３を介して、各本体部８３１の回動により、各係止爪８３２が回動され、解除レバー回転操作部７２の各係止溝７２０に係脱可能にかつ各本体部８３１の一部８３１ｃが各支持プレート８２の各側部間から出没可能に取り付けられる。コイルスプリング８４が各操作レバー８３間に介装され、常態として各係止爪８３２を各係止溝７２０に対して係合可能にかつ各操作レバー８３の各本体部８３１の一部８３１ｃを常態として各支持プレート８２の各側部間から突出可能に回動付勢する。このようにして解除レバー回転操作部７２と解除ハンドル８との連結は、解除ハンドル８を手に持ち、まず、この解除ハンドル８の各操作レバー８３を押操作して一対の係止爪８３２を外側に開き、解除レバー回転操作部７２の各係止溝７２０の各挿入溝に差し込み、続けて、各操作レバー８３の押操作を解除して、各係止爪８３２を内側に閉じ各係合溝に係止すればよく、両者の連結を容易かつ迅速に行うことができる。そして、蝶番Ｈ１、Ｈ２を取り外す場合は、解除ハンドル８を時計回り方向に９０°回して、シャフト７を回転し、一対のフック３の一端間で解除レバー７３を旋回（回転）させることで、各フック３の一端間を開く方向に回動させて、各フック３の各係止爪３１を取付孔の縁部から外し、各軸受プレート２間に没入させる。これにより、蝶番Ｈ１、Ｈ２と取付孔との係合は完全に解除され、蝶番Ｈ１、Ｈ２は取付孔から取り外し可能となる。したがって、解除ハンドル８を引けば、この解除ハンドル８とともに蝶番Ｈ１、Ｈ２を取付孔から引き抜くことができる。この解除ハンドル８を使って、蝶番Ｈ１、Ｈ２を扉、取付開口枠から簡単かつ迅速に取り外すことができる。
【０１１４】
解除レバー７３は各フック３に係合される両側面の両端側が両端方向に漸次先細のテーパ状を呈する略舟形のブロック状に形成されるので、台座２２の突出端面２２１で解除レバー７３が旋回されると、解除レバー７３の両側面が各フック３の内面部３０４に対して円滑に係合して各フック３を円滑に回動させることができる。この場合、解除レバー７３は台座２２の突出端面２２１に対向する面の両端側が両端方向に台座２２の突出端面２２１に対して漸次離間する傾斜状に形成されるので、解除レバー７３の回転時に解除レバー７３の回転中心に近い位置での解除レバー７３と軸受・台座ブロック２Ａとの接触抵抗が小さくなり、解除レバー７３を旋回しやすくすることができる。
【０１１５】
取付片ｈ１は扉、取付開口枠に設ける取付孔よりも大きい角形のプレートからなり、軸受・台座ブロック２Ａの一対の軸受プレート２はそれぞれ、取付孔に嵌挿可能な大きさで、当該取付孔を通り抜け可能に所定の長さを有する角形に形成されて、扉、取付開口枠に設ける取付孔は角形に開口されるので、扉、取付開口枠の取付孔を単純な形状にし、孔明けに要するコストを低く抑えることができる。
【０１１６】
一対のフック３は一対の軸受プレート２間に各軸受プレート２間の台座２２を対称中心として対称的に配置され、各軸受プレート２の突出端２０１側の各軸挿通部２０と各フックの軸挿通部３０とを合せて、これらの軸挿通部２０、３０にそれぞれ軸４が通されて、各軸受プレート２間に回動可能に支持されて、組み立てられる。この際に、各軸４の一端が他端よりも小径に形成され、各軸受プレート２の一方の軸挿通部３０が小径に形成され、その外面側にテーパ状の溝２００が形成されて、各軸４の一端が一方の軸挿通部３０に挿通され、テーパ状の溝２００内でカシメられて固定されるので、カシメ加工が半分で済み、作業性を良好にすることができる。
【０１１７】
シャフト７の解除レバー取付部７１はシャフト７の一端に周方向に対向する外周面の一部が平行に断面直線状に形成され、残部が対称的に断面円弧状に形成され、解除レバー７３の背面側の取付ねじ挿通孔７３２の開口周囲に、シャフト７の一端の解除レバー取付部７１が嵌合可能に、取付ねじ挿通孔７３２の径よりも少し大きい円形を基本形とする凹部が周方向に対向する内周縁部の一部を平行に断面直線状にして、残部を対称的に断面円弧状にして形成されて、かかる形状の解除レバー取付部７１が解除レバー７３の凹部に嵌め込まれて、解除レバ７３ーを回り止めしたので、このシャフト７と解除レバー７３の回り止めの加工が２面で済み、作業性を良好にすることができる。
【０１１８】
なお、この実施の形態では、ばね部材にコイルスプリング５が用いられ、コイルスプリング５が一対のフック３と台座２２との間に介装されるものとしたが、このばね部材にトーションスプリングや板ばねが用いられ、各フックと台座との間に介装されるものであってもよい。このようにしても上記実施の形態と同様の作用効果を奏することができる。
【０１１９】
また、この実施の形態では、シャフト７の解除レバー回転操作部７２は、シャフト７の他端に円板状に形成され、その周縁部で相互に対向する位置にそれぞれ係止溝７２０が設けられるものとしたが、解除レバー回転操作部７２の各係止溝７２０は解除レバー回転操作部７２の一方の面（平面）内で相互に対向する位置にそれぞれ設けられてもよい。このようにしても上記実施の形態と同様の作用効果を奏することができる。
【０１２０】
また、解除ハンドル８の一対の操作レバー８３はそれぞれ、各本体部８３１の各支持プレート８２の両側各側部間から外側に表れる外面部８３１ａと各本体部８３１の他端８３１ｂとに取り囲まれる各本体部８３１の一部８３１ｃが各支持プレート８２の両側各側部間から出没可能に取り付けられるものとしたが、各本体部８３１の各支持プレート８２の各側部間から外側に表れる外面部８３１ａと各本体部８３１の他端８３１ｂとに取り囲まれる各本体部８３１の一部８３１ｃのうちの一部が各支持プレート８２の両側各側部間から出没可能になっていてもよい。このようにしても上記実施の形態と同様の作用効果を奏することができる。
【０１２１】
さらに、解除ハンドル８のコイルスプリング８４は、各操作レバー８３間に介装され、各操作レバー８３の各本体部８３１の一部が常態として各支持プレート８２の両側各側部間から突出可能に回動付勢されるものとしたが、各操作レバー８３の各本体部８３１の一部のうちの一部が常態として各支持プレート８２の両側各側部間から突出可能に回動付勢されるようにしてもよい。このようにしても上記実施の形態と同様の作用効果を奏することができる。
【０１２２】
さらに、この実施の形態では、平蝶番を扉、取付開口枠に取り付ける場合について例示したが、例えば蓋など扉以外の開閉部材を取付開口枠に取り付ける場合にも、同様に適用することができ、扉以外の取り付けにも広く使用することができる。
【０１２３】
（第４の実施の形態）
図１６至図１８に第４の実施の形態を示している。
図１６に示すように、平蝶番Ｈは、一側の蝶番Ｈ１及び他側の蝶番Ｈ２の各取付片ｈ１の取り付け側の面に取付フックＦを備える。この取付フックＦは、シャフト１１と、一対の軸受部２と、フック２と、ばね部材４と、ロック部５とからなる。
【０１２４】
シャフト１１は、取付片ｈ１の取り付け側の面に当該面の周縁部をフランジ１０１として残して平行に突出される。
【０１２５】
この場合、シャフト１１は、扉、取付開口枠の各取付孔に挿通可能になっている。このシャフト１１は、円筒形をなす。シャフト１１を円筒形にすることにより、扉、取付開口枠の各取付孔を単純な円形にすることができる。これにより、各取付孔を、各取付孔の内径がシャフト１１の外径と略同じかそれよりも僅かに大きい円形に開ければよい。
【０１２６】
一対の軸受部２は、シャフト１１の外周面任意の位置からシャフト１１の内部にシャフト１１の軸方向と平行にスリット１１０を形成されて、スリット１１０の両側に設けられる。
【０１２７】
この場合、シャフト１１には、後述するフック３を取り付けるためのスリット１１０が形成される。スリット１１０はシャフト１１の外周面２１任意の位置からシャフト１１の内部に向けてシャフト１１の軸方向と平行に形成される。このスリット１１０により、スリット１１０の両側に一対の軸受部２が設けられる。また、この場合、シャフト１１は所定の外径、長さを有し、スリット１１０は、シャフト１１の先端部先端面中央の直径ライン上から所定の一定の幅で一文字状に基端部方向に所定の長さまで切り込まれて、底面視一文字状でかつ側面視シャフト１１の軸方向に細長いコ字形に形成され、シャフト１１の外周面２１でスリット１１０の両端が開放される。このスリット１１０の両側が一対の軸受部２になり、スリット１１０の各内側面、すなわち、一対の軸受部２の相互に対向する各内側面２２が平行になっている。また、これら軸受部２と取付片ｈ１との間は柱状の基部、この場合は円柱状の基部１１１になっている。この基部１１１の長さは扉、取付開口枠の板厚、つまり、扉、取付開口枠に設ける取付孔の長さに応じて決められ、取付孔の長さと同じ又は短い長さに設定される。この場合、基部１１１は取付孔の長さよりも短い所定の長さを有する。
【０１２８】
一対の軸受部２は、既述のとおり、シャフト１１の外周面２１任意の位置からシャフト１１の内部にシャフト１１の軸方向と平行にスリット１１０を形成されて、スリット１１０の両側に設けられる。また、この一対の軸受部２には、シャフト１１の一対の軸受部２の各内側面２２で後述のフック３のばね部材受け部３３０に対応する位置に、ばね部材挿通保持部２００が設けられる。このばね部材挿通保持部２００は、一端をシャフト１１の外周面２１で開放され、他端を一対の軸受部２の一部により閉塞され、一対の軸受部２間に仮想円筒状の孔の一部をなす断面円弧状の溝２０１が対にして形成されてなる。
【０１２９】
この場合、一対の軸受部２は、取付片ｈ１のシャフト１１側の円環形の面に基部１１１を介在して一体に設けられる。これらの軸受部２はそれぞれ、取付片ｈ１のシャフト１１側の円環形の面をフランジ１０１として、平行に延びるもので、外周面２１が断面円弧状の面に、内側面２２が平坦な面に形成されてなる。これらの軸受部２は、全体として、各取付孔Ｆ０に嵌挿可能な大きさを有し、この各取付孔Ｆ０を通り抜け可能に所定の長さを有する。そして、各軸受部２の突出端側にそれぞれ、軸Ｓ１を挿通可能に軸挿通部２３が形成される。ここで、一対の軸受部２の一方の軸挿通部２３は他方の軸挿通部２３よりも少し小さい径に形成される。一方、軸Ｓ１は、各軸挿通部２３に対応して、一端が他端側よりも小径に形成され、一端が各軸受部２の一方の軸挿通部２３に通され、他端側が各軸受２の他方の軸挿通部２３に通される。そして、この軸Ｓ１は、他方の軸挿通部２３の外側開口縁部で相互に対向する２箇所２３１がカシメられて、各軸挿通部２３間に抜け止めされて取り付けられる。また、この場合、ばね部材挿通保持部２００は、一対の軸受部２の各内側面２２で後述するフック３のばね部材受け部３３０に対応する位置として一対の軸受部２の軸方向中間部に、コイルスプリングを挿通可能に設けられる。このばね部材挿通保持部２００は、一端がシャフト１１の外周面２１、言い換えれば、一対の軸受部２の一端縁部で開放され、他端が一対の軸受部２の他端縁部に近接する一部で、言い換えれば、一対の軸受部２の一端縁部から見て他端縁部の少し手前の近接位置で（当該近接位置から他側縁部までの各軸受部２内側面２２の肉厚を残して）閉塞され、一対の軸受部２間に仮想円筒状の孔の一部をなす断面円弧状の溝２０１を対にして形成されてなる。なお、ばね部材挿通保持部２００（各溝２０１）の他端は閉塞され、ばね部材受け部になっている。
【０１３０】
フック３は、シャフト１１のスリット１１０内に嵌合可能に略コマ状に形成され、スリット１１０内に一端部３１を各シャフト１１の先端部側に向けて他端部３４を取付片ｈ１側に向けて嵌合配置された状態でのスリット１１０より外側に表れる外面部３２から他端部３４にかけてに係止爪３０１を有し、スリット１１０内に一対の軸受部２の先端部側で一対の軸Ｓ１を介して回動可能に支持されて、係止爪３０１をスリット１１０から出没可能に配置される。
【０１３１】
この場合、フック３は、シャフト１１のスリット１１０内に嵌合可能に略コマ状に形成され、スリット１１０内に一端部３１を各軸受部２の先端部側に向けて他端部３４を各軸受部２の基端部側に向けて嵌合配置された状態でスリット１１０より外側に表れる外面部３２から他端部３４にかけてを係止爪３０１とし、スリット１１０内に一対の軸受部２の先端部側で一対の軸Ｓ１を介して回動可能に支持されて、係止爪３０１をスリット１１０から出没可能に配置される。また、このフック３は、図１７に示すように、フック３の回動中心がフック３の一端部３１、他端部３４間の中間部で一端部３１寄りに設けられ、フック３の他端部３４が円の中心をフック３の回動中心よりもフック３の一端部３１側でかつ外面部３２とは反対側の内面部３３寄りの位置におく円弧状に形成される。フック３の外面部３２はシャフト１１の外周面２１のスリット１１０の開口面に沿って平面状に形成される。フック３の一端部３１は外面部３２側が内面部３３側よりも突出されて略刀の刃先状に斜めに形成される。フック３の内面部３３は一端部３１側がフック３の回動中心に中心をおく円弧状に、他端部側がばね部材受け部３３０としてコ字形形状に、それぞれ、形成される。なお、このフック３とシャフト１１との位置関係から、以下の説明の便宜上、フック３の一端部３１、他端部３４をそれぞれ、先端部３１、基端部３４という。
【０１３２】
また、この場合、フック３は、一対の軸受部２間のスペース内に収められる大きさのコマ形状に形成され、このフック３の回動中心がフック３の先端部３１、基端部３４間の中間部で先端部寄りに設けられて、ここに軸Ｓ１を挿通可能に軸挿通部２３が形成される。このフック３の具体的な形状は先端部３１から基端部３４にかけて、順次、次のとおりとなる。先端部３１は外面部３２側が内面部３３側よりも突出されて略刀の刃先形状に斜めになっている。外面部３２はシャフト１１の外周面２１のスリット１１０の開口面に沿う平面になっている。内面部３３は先端部３１側がフック３の回動中心に中心をおく円弧状で、基端部３４側がばね部材受け部３３０としてコ字形形状になっている。基端部３４は円の中心をフック３の回動中心よりもフック３の先端部３１側でかつ外面部３２とは反対側の内面部３３側の位置におく断面円弧状になっている。なお、外面部３２から基端部３４にかけての係止爪３０１は断面略カマ形状をなす。かくしてフック３は、シャフト１１のスリット１１０内に一対の軸受部２の先端部側で一対の軸Ｓ１を介して回動可能に取り付けられて、係止爪３０１がスリット１１０から出没可能に配置される。
【０１３３】
ばね部材４は、一対の軸受部２とフック３との間に介装され、フック３を常態としてスリット１１０から外側に突出可能に回動付勢する。
【０１３４】
この場合、ばね部材４は、一対の軸受部２とフック３との間に介装される。このばね部材４により、フック３を常態としてスリット１１０から外側に突出可能に回動付勢する。また、この場合、ばね部材４としてコイルスプリングが採用される（以下、コイルスプリング４という。）。コイルスプリング４は一対の軸受部２間の各溝部２０１内、すなわち、ばね部材挿通保持部２００内に挿通されるとともに、コイルスプリング４の一端がフック３のばね部材受け部３３０に保持され、他端がばね部材挿通保持部２００の他端（ばね部材受け部）に保持されて、一対の軸受部２とフック３との間に介装される。このコイルスプリング４の付勢力により、フック３は常態としてシャフト１１のスリット１１０から外側へ突出される。
【０１３５】
ロック部５は、シャフト１１のスリット１１０内にフック２と係合可能に設けられ、フック２の係止爪３０１を常態としてスリット１１０から所定の突出位置まで突出させて当該突出位置でフック２の外側への回動を規制する。
【０１３６】
この場合、ロック部５は、シャフト１１のスリット１１０内にフック３と係合可能に設けられる。このロック部５により、フック３の係止爪３０１を常態としてスリット１１０から所定の突出位置まで突出させて当該突出位置でフック３の外側への回動を規制する。この場合、ロック部５は、一対の軸受部２の各内側面２２の先端側で、フック３の先端部３１の特に斜めの縁部３１１の回動経路上に、フック３の係止爪３０１が常態としてスリット１１０から所定の突出位置まで突出されて当該突出位置で係合可能に、突状に設けられる。また、この場合、ロック部５は、一対の軸受部２の他端縁部（既述のばね部材挿通保持部２００の他端と同じ側の他端縁部）の先端をカシメにより外側から内側に向けて略９０°圧し潰すことにより、各軸受部２間に各軸受部２の内側面に対して略直角に突出する一対のロック片５１として形成される。この場合、これらのロック片５１に、シャフト１１のスリット１１０から突出されるフック３の先端部３１斜めの縁部３１１が（当該斜めの縁部３１１の内面部３３寄り所定の位置で）係合される。このロック片５１とフック３との係合により、シャフト１１のスリット１１０からコイルスフリング４により常態として回動付勢されてスリット１１０の外部に突出されるフック３がスリット１１０外部の所定の突出位置まで、この場合、係止爪３０１の一部（係止爪３０１をなす２面の接合角部から外面部３２にあっては２分の１程度の長さ、基端縁部３４にあっては４分の３乃至５分の４程度の長さ）が突出されて外側方向への回動を規制される。
【０１３７】
このようにして平蝶番Ｈは、シャフト１１を扉、取付開口枠に形成した取付孔にワンプッシュで通し、フック３の係止爪３０１を取付孔の縁部に係合させるようになっている。
【０１３８】
図１８にこの平蝶番Ｈの一側の蝶番Ｈ１、他側の蝶番Ｈを扉、取付開口枠の各取付位置に取り付ける場合を例示している。
この平蝶番Ｈの取り付けに当たって、まず、図１８（１）に示すように、扉、取付開口枠の各取付位置に、取付孔Ｆ０を開ける。この場合、取付フックＦのシャフト１１を円筒形にしてあるので、扉、取付開口枠の各取付孔Ｆ０を単純な円形にすることができる。したがって、扉、取付開口枠に取付孔Ｆ０を、取付孔Ｆ０の内径がシャフト１１の外径と略同じかそれよりも僅かに大きい円形に開ければよい。
【０１３９】
そして、平蝶番Ｈをこの取付孔Ｆ０に取り付ける。なお、この平蝶番Ｈの使用前の通常の状態は、シャフト１１の一対の軸受部２の間でフック３が各軸受部２とフック３との間のコイルスプリング４により各軸受部２の外側に向けて押圧付勢されるとともに、一対の軸受部２間先端側のロック部５にフック３の先端部斜めの縁部３１１が（当該斜めの縁部３１１の内面部３３寄り所定の位置で）係合されて、フック３が一対の軸受部２の外部所定の突出位置で回動規制され、一対の軸受部２間から係止爪３０１の一部（係止爪３０１をなす２面の接合角部から外面部３２にあっては２分の１程度の長さ、基端縁部３４にあっては４分の３乃至５分の４程度の長さ）が突出される。
【０１４０】
まず、図１８（２）に示すように、一側の蝶番Ｈ１のシャフトをフック３とともに取付孔Ｆ０に差し込み押し込む（ワンプッシュする）。
【０１４１】
このようにすると、取付フックＦは一対のシャフト１１が、シャフト１１の外周面２１の先端、中間、基端が順次、取付孔Ｆ０の各内周縁部を摺動しつつ、取付孔Ｆ０に通される。この場合、一対の軸受部２間から外側に突出されるフック３の係止爪３０１は取付孔Ｆ０の内周縁部に接触して押圧され、係止爪３０１が一対の軸受部２とフック３との間のコイルスプリング４の付勢力に抗して（コイルスプリング４を圧縮しながら）各軸受部２間に向けて回動し各軸受部２間に没入されて、フック３が各軸受部２間に完全に没入された状態で、シャフト１１が取付孔Ｆに通される。そして、図１８（３）に示すように、取付片ｈ１のシャフト１１側の面、すなわち、フランジ１０１が扉の外側の面側で取付孔Ｆ０の内周縁部の周辺に当接し、各軸受部２間のフック３が取付孔Ｆ０を通り抜けると、一対の軸受部２とフック３との間のコイルスプリング４の付勢力（コイルスプリング４の弾性復帰）によりフック３が各軸受部２間から外側へ回動し、係止爪３０１が各軸受部２間から外側に突出されて、扉の内側の面側で取付孔Ｆ０の内周縁部に弾性係止される。ここで、取付フックＦは、図１７に示したように、フック３の回動中心がフック３の先端部３１と基端部３４との間の中間部に設けられ、フック３の基端部３４が円の中心をフック３の回動中心よりもフック３の先端部３１に近く内面部３３寄りの位置におく円弧状に形成されることで、フック３は、図１８（３）に示すように、係止爪３０１の外側への回動とともにこの係止爪３０１の円弧状の部分が取付孔Ｆ０の縁部に向けて迫り出し、この円弧状の部分が取付孔Ｆの縁部に食い込んでいく。この係止爪３０１の迫り出しにより、一対の軸受部２は取付孔Ｆ０で扉の外側の面から内側の面に引き寄せられて、取付片ｈ１のフランジ１０１は扉の外側の面で取付孔９１の内周縁部の周辺に圧接され、扉の板が取付片ｈ１とフック３との間に締め込まれて、蝶番Ｈ１は扉に強固に固定される。
【０１４２】
続いて、他側の蝶番Ｈ２の取付片ｈ１を取付開口枠の取付位置に、一側の蝶番Ｈ１の取付片ｈ１と同様にして取り付ける。この場合でも、他側の蝶番Ｈ２の取付フックＦの各部が、一側の蝶番Ｈ１の取付フックＦの各部と同様に作用する。
【０１４３】
そして、一側、他側の各蝶番Ｈ１、Ｈ２の各筒状軸受部ｈ２を上下に同芯的に配置し、軸ｈ３を上下部の各筒状軸受部ｈ２に通して、一側の蝶番Ｈ１と他側の蝶番Ｈ２とを枢着連結する。なお、上部の筒状軸受部ｈ２の上端部、下部の筒状軸受部ｈ２の下端部には、軸受部キャップが嵌め込まれる。
【０１４４】
なお、この蝶番Ｈ１、Ｈ２を扉、取付開口枠に取り付けた後、取付孔Ｆ０から取り外す場合、一方の手で扉の外側の面側の取付片ｈ１を掴み、扉の内側の面側で他方の手でフック３を各軸受部２間に押し込みながら、一方の手で取付片ｈ１を引いて蝶番Ｈ１、Ｈ２を引き抜けばよい。この引き抜きにより、蝶番Ｈ１は使用前の通常の状態に戻される。
【０１４５】
以上説明したように、この平蝶番Ｈは、一側の蝶番Ｈ１及び他側の蝶番Ｈ２の各取付片ｈ１の取り付け側の面に、シャフト１１と、一対の軸受部２と、フック３と、ばね部材４と、ロック部５とからなる取付フックＦを備え、扉、取付開口枠において一側の蝶番Ｈ１、他側の蝶番Ｈ２の各取付片ｈ１の各取付位置に、取付フックＦのシャフト１１を嵌挿可能に取付孔を設け、シャフト１１をフック３とともに取付孔にワンプッシュで通し、フック３の係止爪３０１を取付孔の縁部に係止させるようにしたので、一側の蝶番Ｈ１及び他側の蝶番Ｈ２の各取付片ｈ１をその取付位置にワンタッチで簡易に取り付けることができ、取付時間の短縮を図ることができる。
【０１４６】
また、この平蝶番Ｈはさらに次のような利点を有する。
（１）フック３の回動中心がフック３の先端部３１、基端部３４間の中間部で先端部３１寄りに設けられて、フック３の基端部３４は円の中心をフック３の回動中心よりもフック３の先端部３１側でかつ外面部３２とは反対側の内面部３３寄りの位置におく円弧状に形成されることで、一対の軸受部２をフック３とともに扉、取付開口枠の各取付孔に通しワンプッシュした後のフック３は、係止爪３０１の外側への回動とともにこの係止爪３０１の円弧状の部分が取付孔の内周縁部に向けて迫り出し、この円弧状の部分を取付孔の縁部に食い付かせることができる。これにより、一対の軸受部２を扉、取付開口枠の各取付孔で外側の面側から内側の面側に引き寄せ、取付片ｈ１のフランジ１０１を扉、取付開口枠の外側の面で取付孔の内周縁部の周辺に圧接して、扉、取付開口枠の板を取付片ｈ１とフック３との間で締め付けることができ、扉、取付開口枠の板厚に多少のバラつきがあっても、この平蝶番Ｈを扉、取付開口枠にガタツクことなく確実に取り付けることができる。
（２）フック３の外面部３２はシャフト１１の外周面２１のスリット１１０の開口面に沿って形成され、フック３の先端部３１は外面部３２側が内面部３３側よりも突出されて略刀の刃先状に斜めに形成され、フック３の内面部３３は先端部３１側がフック３の回動中心に中心をおく円弧状に形成される。このようにしたことで、フック３をシャフト１１の一対の軸受部２内に係止爪３０１のみが各軸受部２間から出没可能に配置することができる。
この場合、シャフト１１のスリット１１０内にフック３の係止爪３０１を常態としてスリット１１０から所定の突出位置まで突出させて当該突出位置でフック３の外側への回動を規制するロック部５が設けられるので、フック３の各軸受部２からの飛び出しを確実に防止することができ、フック３の係止爪３０１を各軸受部２間から確実に出没させることができる。
また、この場合、フック３の内面部３３の基端部３４側はばね部材受け部３３０としてコ字形形状に形成され、シャフト１１の一対の軸受部２の各内側面２２でフック３のばね部材受け部３３０に対応する位置に、ばね部材挿通保持部２００として、一端がシャフト１１の外周面２１で開放され、他端が一対の軸受部２の一部により閉塞され、一対の軸受部２間に仮想円筒状の孔の一部をなす断面円弧状の溝２０１が対にして形成される。ばね部材としてコイルスプリング４を採用され、コイルスプリング４が一対の軸受部２間のばね部材挿通保持部２００内に挿通されるとともに、コイルスプリング４の一端がフック３のばね部材受け部３３０に保持され、他端がばね部材挿通保持部２００の他端に保持されて、一対の軸受部２とフック３との間に介装される。このようにしたことで、フック３を簡単な構造で各軸受部２から外側方向に確実に回動付勢することができる。
【０１４７】
なお、この実施の形態では、取付フックＦのシャフト１１を円筒形をなすものとしたが、このシャフト１１は角筒形であってもよい。このようにしても、各取付部において取付孔の加工が円形の孔の加工に比べて複雑になるが、その他の点では、上記実施の形態と同様の作用効果を奏することができる。また、このシャフト１１には、スリット１１０が、シャフト１１の先端部先端面中央の直径ライン上から所定の一定の幅で一文字状に基端部方向に所定の長さまで切り込まれて、底面視一文字状で側面視シャフト１１の軸方向に細長いコ字形に形成され、スリット１１０の両端が開放されるものとしたが、軸部の先端部先端面中央の直径ライン上から所定の一定の幅でコ字形に基端部方向に所定の長さまで切り込まれて、底面視コ字形状で側面視軸部の軸方向に細長いコ字形に形成され、軸部の外周面でスリットの一端のみが開放されるものとしてもよい。この場合、スリットの他端が軸部の外周面により閉塞されるので、この他端を閉塞する外周面の一部をロック部とすることができ、このロック部にフックの先端縁部又は内面部を係合させることができる。このようにしても上記実施の形態と同様の作用効果を奏することができる。
【０１４８】
また、この実施の形態では、ばね部材にコイルスプリング４が用いられ、コイルスプリング４が一対の軸受部２とフック３との間に介装されるものとしたが、このばね部材にトーションスプリングや板ばねなどを用い、一対の軸受部とフックとの間に介装されるものであってもよい。このようにしても上記実施の形態と同様の作用効果を奏することができる。
【０１４９】
さらに、この実施の形態では、ロック部５が、一対の軸受部２の他端縁部（既述のばね部材挿通保持部２００の他端と同じ側の他端縁部）の先端をカシメにより外側から内側に向けて略９０°圧し潰すことにより、各軸受部２間に各軸受部２の内側面に対して略直角に突出する一対のロック片５１として形成され、これらのロック片５１に、シャフト１１のスリット１１０から突出されるフック３の先端部３１斜めの縁部３１１が（当該斜めの縁部３１１の内面部３３寄り所定の位置で）係合されるものとしたが、例えば、取付片のシャフト側の面で一対の軸受部間の一端部に凸段状にストッパーが形成され、フックの基端部の内面部側の端部に一対の軸受部間のストッパーに係合可能に凸状の回動規制部が設けられるものであってもよい。このようにしても上記実施の形態と同様の作用効果を奏することができる。
【０１５０】
さらに、この実施の形態では、取付フックＦの一対の軸受部２をフック３とともに取付孔にワンプッシュで通し、フック３を取付孔の縁部に弾性係止するものとしたが、取付フックの一対の軸受部をフックとともに取付孔にワンプッシュで通し、フックを取付孔の縁部周囲に弾性係止するようにしてもよい。このようにしても上記実施の形態と同様の作用効果を奏することができる。
【０１５１】
さらに、この実施の形態では、平蝶番を扉、取付開口枠に取り付ける場合について例示したが、例えば蓋など扉以外の開閉部材を取付開口枠に取り付ける場合にも、同様に適用することができ、扉以外の取り付けにも広く使用することができる。
【符号の説明】
【０１５２】
（第１乃至第４の実施の形態に共通）
Ｈ  ワンタッチ取付平蝶番
Ｈ１  一側の蝶番
Ｈ２  他側の蝶番
ｈ１  取付片
ｈ２  筒状軸受部
ｈ３  軸
ｈ３１  リング部
（第１の実施の形態）
Ｆ  取付フック
１１  フランジ
２  軸受部
２０１  突出端
２０３、２０４  側縁部
２０  軸挿通部
２００  凹部
２１  ストッパー
３  フック
３０１  一端縁部
３０２  他端縁部
３０３  外面部
３０４  内面部
３０  軸挿通部
３１  係止爪
３２  回動規制部
３３  孔
３３１  内周面の一部
４  軸
５  ばね部材（コイルスプリング）
Ｆ０  取付孔
（第２の実施の形態）
Ｆ  取付フック
１０５  凹部
１１  フランジ
２Ａ  軸受・台座ブロック
２  軸受プレート
２０１  突出端
２０２  溝
２０３、２０４  側縁部
２０  軸挿通部
２２  台座
２２０  シャフト挿通部
２２１  突出端面
２２３  孔
３  フック
３０１  一端縁部
３０２  他端縁部
３０３  外面部
３０４  内面部
３０  軸挿通部
３１  係止爪
３３  溝
３３１  内周面の一部
４  軸
５  ばね部材（コイルスプリング）
Ｆ０  取付孔
７  シャフト
７１  解除レバー取付部
７１０  ねじ孔
７２  工具係合部
７２１  溝
７３  解除レバー
７３１  側面
７３２  取付ねじ挿通孔
７３４  取付ねじ
（第３の実施の形態）
Ｆ  取付フック
１０５  凹部
１０６  溝部
１１  フランジ
２Ａ  軸受・台座ブロック
２  軸受プレート
２０１  突出端
２０２  溝
２０３、２０４  側縁部
２０  軸挿通部
２００  凹部
２２  台座
２２０  シャフト挿通部
２２１  突出端面
２２２  側面
２２３  孔
３  フック
３０１  一端縁部
３０２  他端縁部
３０３  外面部
３０４  内面部
３０  軸挿通部
３１  係止爪
３３  溝
３３１  内周面の一部
４  軸
５  ばね部材（コイルスプリング）
Ｆ０  取付孔
７  シャフト
７０１  受部
７１  解除レバー取付部
７１０  ねじ孔
７２  解除レバー回転操作部
７２０  係止溝
７３  解除レバー
７３４  取付ねじ
８  解除ハンドル
８１  ベースプレート
８２  支持プレート
８２１  中央プレート
８２２  孔
８２３  凹溝
８３  操作レバー
８３１  本体部
８３１ａ  外面部
８３１ｂ  他端
８３１ｃ  一部
８３１ｄ  内面部
８３１ｅ  凸状部
８３１ｆ  回転軸挿通部
８３１ｇ  受部
８３２  係止爪
８３３  回転軸
８４  ばね部材（コイルスプリング）
（第４の実施の形態）
Ｆ  取付フック
１０１  フランジ
１１  シャフト
１１０  スリット
１１１  基部
２  軸受部
２００  ばね部材挿通保持部
２０１  溝
２１  外周面
２２  内側面
２３  軸挿通部
Ｓ１  軸
３  フック
３０１  係止爪
３１  一端部（先端部）
３１１  斜めの縁部
３２  外面部
３３  内面部
３３０  ばね部材受け部
３４  他端部（基端部）
４  ばね部材（コイルスプリング）
５  ロック部
５１  ロック片
Ｆ０  取付孔
【図１】
0003227549.tif 000003
【図２】
0003227549.tif 000004
【図３】
0003227549.tif 000005
【図４】
0003227549.tif 000006
【図５】
0003227549.tif 000007
【図６】
0003227549.tif 000008
【図７】
0003227549.tif 000009
【図８】
0003227549.tif 000010
【図９】
0003227549.tif 000011
【図１０】
0003227549.tif 000012
【図１１】
0003227549.tif 000013
【図１２】
0003227549.tif 000014
【図１３】
0003227549.tif 000015
【図１４】
0003227549.tif 000016
【図１５】
0003227549.tif 000017
【図１６】
0003227549.tif 000018
【図１７】
0003227549.tif 000019
【図１８】
0003227549.tif 000020
【手続補正書】
【提出日】令和2年6月3日(2020.6.3)
【手続補正１】
【補正対象書類名】明細書
【補正対象項目名】０００６
【補正方法】変更
【補正の内容】
【０００６】
上記目的を達成するために、本考案（１）のワンタッチ取付平蝶番は、
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出される一対の軸受部と、
各々、前記一対の軸受部間両側に嵌合可能に略コマ状に形成され、前記一対の軸受部間両側に一端縁部を前記一対の軸受部の突出端側に向けて他端縁部を前記取付片側に向けて嵌合配置された状態での前記一対の軸受部の両側各側縁部間から外側に表れる外面部から前記他端縁部にかけてに係止爪を有し、前記一対の軸受部間両側に対称的に嵌合配置され、前記一対の軸受部の突出端側に一対の軸を介して回動可能に支持されて、前記各係止爪を前記一対の軸受部の両側各側縁部間から出没可能に配置される一対のフックと、
前記各フック間に又は前記各フックと前記各一対の軸受部との間に介装され、前記各フックを前記一対の軸受部の両側各側縁部間から外側に突出可能に回動付勢するばね部材と、
を有し、
前記開閉部材、前記取付部材において前記一側の蝶番、前記他側の蝶番の前記各取付片の各取付位置に、前記取付フックの前記一対の軸受部を嵌挿可能に取付孔を設け、
前記一側の蝶番、前記他側の蝶番の前記各取付片を、前記取付フックの前記一対の軸受部を前記各フックとともに前記取付孔にワンプッシュで通し、前記各フックを前記取付孔の縁部又は縁部周囲に弾性係止することにより、前記開閉部材、前記取付部材に取り付ける、
ことを要旨とする。
【手続補正２】
【補正対象書類名】明細書
【補正対象項目名】０００７
【補正方法】変更
【補正の内容】
【０００７】
上記目的を達成するために、本考案（２）のワンタッチ取付平蝶番は、
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出され、その突出端の中央部に溝を有する一対の軸受プレート、及び前記一対の軸受プレート間の中央に前記取付片の取り付け側の面から前記各軸受プレートの前記溝又はその近傍まで突出され、その突出端面から前記取付片まで貫通するシャフト挿通部を有する台座からなり、前記各軸受プレートの両側でかつ突出端側にそれぞれ、軸挿通部を有する軸受・台座ブロックと、
各々、前記軸受・台座ブロックの前記各一対の軸受プレート間で前記台座の両側に嵌合可能に略コマ状に形成され、前記一対の軸受プレート間の前記台座の両側に一端縁部を前記一対の軸受プレートの突出端側に向けて他端縁部を前記取付片側に向けて嵌合配置された状態での前記一対の軸受プレートの両側各側縁部間から外側に表れる外面部から前記他端縁部にかけてに係止爪を有し、前記一対の軸受部間の前記台座の両側に対称的に嵌合配置され、前記一対の軸受プレートの両側でかつ突出端側の各軸挿通部間に挿着される一対の軸を介して回動可能に支持されて、前記各係止爪を前記一対の軸受プレートの両側各側縁部間から出没可能に配置される一対のフックと、
前記一対のフックと前記台座との間に介装され、前記各フックを前記一対の軸受プレートの両側各側縁部間から突出可能に回動付勢するばね部材と、
前記軸受・台座ブロックの前記台座のシャフト挿通部に挿通され、一端に前記台座の突出端面から突出される解除レバー取付部を有し、他端に前記取付片に開口される前記シャフト挿通部の周囲に回転可能に配置される工具係合部を有するシャフト、及び前記シャフトの前記解除レバー取付部に前記シャフトと一体回転可能に固定されて、前記台座の突出端面で前記一対の軸受プレートの各溝間に前記一対のフックの一端間に係合可能に配置され、前記工具係合部の回転操作により、前記台座の突出端面で旋回されて前記各フックの一端間を押し広げ、前記各フックを前記一対の軸受プレートの両側各側縁部間に没入させる解除レバーと、
を有し、
前記開閉部材、前記取付部材において前記一側の蝶番、前記他側の蝶番の前記各取付片の各取付位置に、前記取付フックの前記一対の軸受プレートを嵌挿可能に取付孔を設け、
前記一側の蝶番、前記他側の蝶番の前記各取付片を、前記取付フックの前記一対の軸受プレートを前記各フックとともに前記取付孔にワンプッシュで通し、前記各フックを前記取付孔の縁部又は縁部周囲に係止することにより、前記開閉部材、前記取付部材に取り付け、
前記工具係合部の回転操作により前記各フックの係止爪と前記取付孔の縁部又は縁部周囲との係合を解除する、
ことを要旨とする。
【手続補正３】
【補正対象書類名】明細書
【補正対象項目名】０００８
【補正方法】変更
【補正の内容】
【０００８】
上記目的を達成するために、本考案（３）のワンタッチ取付平蝶番は、
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出され、その突出端の中間部に溝を有する一対の軸受プレート、及び前記一対の軸受プレート間の中央に前記取付片の取り付け側の面から前記各軸受プレートの前記溝又はその近傍まで突出され、その突出端面から前記取付片まで貫通するシャフト挿通部を有する台座からなり、前記各軸受プレートの両側でかつ突出端側にそれぞれ、軸挿通部を有する軸受・台座ブロックと、
各々、前記軸受・台座ブロックの前記一対の軸受プレート間に嵌合可能に略コマ状に形成され、前記一対の軸受プレート間に一端縁部を前記一対の軸受プレートの突出端側に向けて他端縁部を前記取付片側に向けて嵌合配置された状態で前記一対の軸受プレートの両側各側縁部間から外側に表れる外面部から前記他端縁部にかけてに係止爪を有し、前記一対の軸受プレート間に対称的に嵌合配置され、前記一対の軸受プレートの突出端側に一対の軸を介して回動可能に支持されて、前記各係止爪を前記一対の軸受プレートの両側各側縁部間から出没可能に配置される一対のフックと、
前記一対のフックと前記台座との間に介装され、前記各フックを前記一対の軸受プレートの両側各側縁部間から突出可能に回動付勢するばね部材と、
前記軸受・台座ブロックの前記台座のシャフト挿通部に挿通され、一端に前記台座の突出端面から突出される解除レバー取付部を有し、他端に前記取付片に開口される前記シャフト挿通部の周囲に回転可能に配置される解除レバー回転操作部及び前記解除レバー回転操作部に係止溝と係止爪の弾性係合によるロック形式で着脱可能に連結される解除ハンドルを有するシャフト、及び前記シャフトの前記解除レバー取付部に前記シャフトと一体回転可能に固定されて、前記台座の突出端面で前記一対の軸受プレートの各溝間に前記一対のフックの一端間に係合可能に配置され、前記解除レバー回転操作部の回転操作により、前記台座の突出端面で旋回されて前記各フックの一端間を押し広げ、前記各フックの係止爪を前記一対の軸受プレートの両側各側縁部間に没入させる解除レバーと、
を有し、
前記開閉部材、前記取付部材において前記一側の蝶番、前記他側の蝶番の前記各取付片の各取付位置に、前記取付フックの前記一対の軸受プレートを嵌挿可能に取付孔を設け、
前記一側の蝶番、前記他側の蝶番の前記各取付片を、前記取付フックの前記一対の軸受プレートを前記各フックとともに前記取付孔にワンプッシュで通し、前記各フックを前記取付孔の縁部又は縁部周囲に係止することにより、前記開閉部材、前記取付部材に取り付け、
前記解除レバー回転操作部に前記解除ハンドルを前記係止溝と前記係止爪の弾性係合により連結ロックして、前記解除レバー回転操作部を前記解除ハンドルにより回転操作することにより前記各フックの係止爪と前記取付孔の縁部又は縁部周囲との係合を解除する、
ことを要旨とする。
【手続補正４】
【補正対象書類名】明細書
【補正対象項目名】０００９
【補正方法】変更
【補正の内容】
【０００９】
上記目的を達成するために、本考案（４）のワンタッチ取付平蝶番は、
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して突出されるシャフトと、
前記シャフトの外周面任意の位置から前記シャフトの内部に前記シャフトの軸方向と平行にスリットを形成されて、前記スリットの両側に設けられる一対の軸受部と、
前記シャフトの前記スリット内に嵌合可能に略コマ状に形成され、前記スリット内に一端部を前記各シャフトの先端部側に向けて他端部を前記取付片側に向けて嵌合配置された状態での前記スリットより外側に表れる外面部から前記他端部にかけてに係止爪を有し、前記スリット内に前記一対の軸受部の先端部側で一対の軸を介して回動可能に支持されて、前記係止爪を前記スリットから出没可能に配置されるフックと、
前記一対の軸受部と前記フックとの間に介装され、前記フックを前記スリットから外側に突出可能に回動付勢するばね部材と、
を備え、
前記開閉部材、前記取付部材において前記一側の蝶番、前記他側の蝶番の前記各取付片の各取付位置に、前記取付フックの前記シャフトを嵌挿可能に取付孔を設け、
前記一側の蝶番、前記他側の蝶番の前記各取付片を、前記シャフトを前記フックとともに前記取付孔にワンプッシュで通し、前記フックを前記取付孔の縁部又は縁部周囲に係止することにより、前記開閉部材、前記取付部材に取り付ける、
ことを要旨とする。
【手続補正５】
【補正対象書類名】実用新案登録請求の範囲
【補正対象項目名】全文
【補正方法】変更
【補正の内容】
【実用新案登録請求の範囲】
【請求項１】
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出される一対の軸受部と、
各々、前記一対の軸受部間両側に嵌合可能に略コマ状に形成され、前記一対の軸受部間両側に一端縁部を前記一対の軸受部の突出端側に向けて他端縁部を前記取付片側に向けて嵌合配置された状態での前記一対の軸受部の両側各側縁部間から外側に表れる外面部から前記他端縁部にかけてに係止爪を有し、前記一対の軸受部間両側に対称的に嵌合配置され、前記一対の軸受部の突出端側に一対の軸を介して回動可能に支持されて、前記各係止爪を前記一対の軸受部の両側各側縁部間から出没可能に配置される一対のフックと、
前記各フック間に又は前記各フックと前記各一対の軸受部との間に介装され、前記各フックを前記一対の軸受部の両側各側縁部間から外側に突出可能に回動付勢するばね部材と、
を有し、
前記開閉部材、前記取付部材において前記一側の蝶番、前記他側の蝶番の前記各取付片の各取付位置に、前記取付フックの前記一対の軸受部を嵌挿可能に取付孔を設け、
前記一側の蝶番、前記他側の蝶番の前記各取付片を、前記取付フックの前記一対の軸受部を前記各フックとともに前記取付孔にワンプッシュで通し、前記各フックを前記取付孔の縁部又は縁部周囲に弾性係止することにより、前記開閉部材、前記取付部材に取り付ける、
ことを特徴とするワンタッチ取付平蝶番。
【請求項２】
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出され、その突出端の中央部に溝を有する一対の軸受プレート、及び前記一対の軸受プレート間の中央に前記取付片の取り付け側の面から前記各軸受プレートの前記溝又はその近傍まで突出され、その突出端面から前記取付片まで貫通するシャフト挿通部を有する台座からなり、前記各軸受プレートの両側でかつ突出端側にそれぞれ、軸挿通部を有する軸受・台座ブロックと、
各々、前記軸受・台座ブロックの前記各一対の軸受プレート間で前記台座の両側に嵌合可能に略コマ状に形成され、前記一対の軸受プレート間の前記台座の両側に一端縁部を前記一対の軸受プレートの突出端側に向けて他端縁部を前記取付片側に向けて嵌合配置された状態での前記一対の軸受プレートの両側各側縁部間から外側に表れる外面部から前記他端縁部にかけてに係止爪を有し、前記一対の軸受部間の前記台座の両側に対称的に嵌合配置され、前記一対の軸受プレートの両側でかつ突出端側の各軸挿通部間に挿着される一対の軸を介して回動可能に支持されて、前記各係止爪を前記一対の軸受プレートの両側各側縁部間から出没可能に配置される一対のフックと、
前記一対のフックと前記台座との間に介装され、前記各フックを前記一対の軸受プレートの両側各側縁部間から突出可能に回動付勢するばね部材と、
前記軸受・台座ブロックの前記台座のシャフト挿通部に挿通され、一端に前記台座の突出端面から突出される解除レバー取付部を有し、他端に前記取付片に開口される前記シャフト挿通部の周囲に回転可能に配置される工具係合部を有するシャフト、及び前記シャフトの前記解除レバー取付部に前記シャフトと一体回転可能に固定されて、前記台座の突出端面で前記一対の軸受プレートの各溝間に前記一対のフックの一端間に係合可能に配置され、前記工具係合部の回転操作により、前記台座の突出端面で旋回されて前記各フックの一端間を押し広げ、前記各フックを前記一対の軸受プレートの両側各側縁部間に没入させる解除レバーと、
を有し、
前記開閉部材、前記取付部材において前記一側の蝶番、前記他側の蝶番の前記各取付片の各取付位置に、前記取付フックの前記一対の軸受プレートを嵌挿可能に取付孔を設け、
前記一側の蝶番、前記他側の蝶番の前記各取付片を、前記取付フックの前記一対の軸受プレートを前記各フックとともに前記取付孔にワンプッシュで通し、前記各フックを前記取付孔の縁部又は縁部周囲に係止することにより、前記開閉部材、前記取付部材に取り付け、
前記工具係合部の回転操作により前記各フックの係止爪と前記取付孔の縁部又は縁部周囲との係合を解除する、
ことを特徴とするワンタッチ取付平蝶番。
【請求項３】
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して平行に突出され、その突出端の中間部に溝を有する一対の軸受プレート、及び前記一対の軸受プレート間の中央に前記取付片の取り付け側の面から前記各軸受プレートの前記溝又はその近傍まで突出され、その突出端面から前記取付片まで貫通するシャフト挿通部を有する台座からなり、前記各軸受プレートの両側でかつ突出端側にそれぞれ、軸挿通部を有する軸受・台座ブロックと、
各々、前記軸受・台座ブロックの前記一対の軸受プレート間に嵌合可能に略コマ状に形成され、前記一対の軸受プレート間に一端縁部を前記一対の軸受プレートの突出端側に向けて他端縁部を前記取付片側に向けて嵌合配置された状態で前記一対の軸受プレートの両側各側縁部間から外側に表れる外面部から前記他端縁部にかけてに係止爪を有し、前記一対の軸受プレート間に対称的に嵌合配置され、前記一対の軸受プレートの突出端側に一対の軸を介して回動可能に支持されて、前記各係止爪を前記一対の軸受プレートの両側各側縁部間から出没可能に配置される一対のフックと、
前記一対のフックと前記台座との間に介装され、前記各フックを前記一対の軸受プレートの両側各側縁部間から突出可能に回動付勢するばね部材と、
前記軸受・台座ブロックの前記台座のシャフト挿通部に挿通され、一端に前記台座の突出端面から突出される解除レバー取付部を有し、他端に前記取付片に開口される前記シャフト挿通部の周囲に回転可能に配置される解除レバー回転操作部及び前記解除レバー回転操作部に係止溝と係止爪の弾性係合によるロック形式で着脱可能に連結される解除ハンドルを有するシャフト、及び前記シャフトの前記解除レバー取付部に前記シャフトと一体回転可能に固定されて、前記台座の突出端面で前記一対の軸受プレートの各溝間に前記一対のフックの一端間に係合可能に配置され、前記解除レバー回転操作部の回転操作により、前記台座の突出端面で旋回されて前記各フックの一端間を押し広げ、前記各フックの係止爪を前記一対の軸受プレートの両側各側縁部間に没入させる解除レバーと、
を有し、
前記開閉部材、前記取付部材において前記一側の蝶番、前記他側の蝶番の前記各取付片の各取付位置に、前記取付フックの前記一対の軸受プレートを嵌挿可能に取付孔を設け、
前記一側の蝶番、前記他側の蝶番の前記各取付片を、前記取付フックの前記一対の軸受プレートを前記各フックとともに前記取付孔にワンプッシュで通し、前記各フックを前記取付孔の縁部又は縁部周囲に係止することにより、前記開閉部材、前記取付部材に取り付け、
前記解除レバー回転操作部に前記解除ハンドルを前記係止溝と前記係止爪の弾性係合により連結ロックして、前記解除レバー回転操作部を前記解除ハンドルにより回転操作することにより前記各フックの係止爪と前記取付孔の縁部又は縁部周囲との係合を解除する、
ことを特徴とするワンタッチ取付平蝶番。
【請求項４】
平板状の取付片と筒状軸受部を有する一側の蝶番と、平板状の取付片と筒状軸受部を有する他側の蝶番と、前記各蝶番の筒状軸受部間に挿通される軸とを備え、前記一側の蝶番の取付片を扉を含む開閉部材の一側部に取り付け、前記他側の蝶番の取付片を扉の取付開口枠を含む取付部材の一側部に取り付け、前記各蝶番を前記軸を介して枢着連結して、前記開閉部材を前記取付部材に開閉可能に取り付ける平蝶番において、
前記一側の蝶番及び前記他側の蝶番の前記各取付片の取り付け側の面に取付フックを備え、
前記取付フックは、
前記取付片の取り付け側の面に当該面の周縁部をフランジとして残して突出されるシャフトと、
前記シャフトの外周面任意の位置から前記シャフトの内部に前記シャフトの軸方向と平行にスリットを形成されて、前記スリットの両側に設けられる一対の軸受部と、
前記シャフトの前記スリット内に嵌合可能に略コマ状に形成され、前記スリット内に一端部を前記各シャフトの先端部側に向けて他端部を前記取付片側に向けて嵌合配置された状態での前記スリットより外側に表れる外面部から前記他端部にかけてに係止爪を有し、前記スリット内に前記一対の軸受部の先端部側で一対の軸を介して回動可能に支持されて、前記係止爪を前記スリットから出没可能に配置されるフックと、
前記一対の軸受部と前記フックとの間に介装され、前記フックを前記スリットから外側に突出可能に回動付勢するばね部材と、
を備え、
前記開閉部材、前記取付部材において前記一側の蝶番、前記他側の蝶番の前記各取付片の各取付位置に、前記取付フックの前記シャフトを嵌挿可能に取付孔を設け、
前記一側の蝶番、前記他側の蝶番の前記各取付片を、前記シャフトを前記フックとともに前記取付孔にワンプッシュで通し、前記フックを前記取付孔の縁部又は縁部周囲に係止することにより、前記開閉部材、前記取付部材に取り付ける、
ことを特徴とするワンタッチ取付平蝶番。